(57)【要約】  本開示は、ユーザ機器のアップリンク制御チャネルによって占有されるスケジューリングユニットの数、アップリンク制御チャネルによって使用される初期スケジューリングユニット、初期スケジューリングユニット内のアップリンク制御チャネルの開始シンボルの位置、使用されるシンボルの数、および合意された規則にしたがって、ベースステーションがアップリンク制御チャネルによって使用される後続のスケジューリングユニット、および／または後続のスケジューリングユニット内のアップリンク制御チャネルによって使用されるシンボルの位置を決定することを含む、アップリンク制御チャネルスケジューリングユニットを決定するための方法、ベースステーション、ユーザ機器、およびコンピュータ可読記憶媒体を開示する。【選択図】図１
2021502765.tif 000002
【特許請求の範囲】
【請求項１】
アップリンク制御チャネルスケジューリングユニットを決定するための方法であって、
ベースステーションによって、
ユーザ機器の前記アップリンク制御チャネルによって占有されるスケジューリングユニットの数、前記アップリンク制御チャネルによって使用される開始スケジューリングユニット、前記開始スケジューリングユニットにおける前記アップリンク制御チャネルの開始シンボル位置および前記開始スケジューリングユニットにおける前記アップリンク制御チャネルによって使用されるシンボルの数、および合意された規則にしたがって、
前記アップリンク制御チャネルによって使用される後続のスケジューリングユニットおよび／または前記後続のスケジューリングユニットにおいて前記アップリンク制御チャネルによって使用されるシンボルの位置を決定するステップ、
を有する方法。
【請求項２】
前記合意された規則にしたがって、前記アップリンク制御チャネルによって使用される前記後続のスケジューリングユニットを決定するステップは、
前記ベースステーションからスケジューリングユニットタイプ指示シグナリングを受信するように前記ベースステーションが前記ユーザ機器を構成しない場合、または前記ユーザ機器のための前記スケジューリングユニットタイプ指示シグナリングを構成しない場合、
前記ベースステーションによって、
前記開始スケジューリングユニットから始まり、前記開始スケジューリングユニットを含む、連続するｎ個のスケジューリングユニットを、前記アップリンク制御チャネルによって使用されるスケジューリングユニットとして決定するステップであって、ｎは前記アップリンク制御チャネルによって占有されるスケジューリングユニットの数である、ステップ、
を有する、
請求項１記載の方法。
【請求項３】
前記合意された規則にしたがって、前記アップリンク制御チャネルによって使用される前記後続のスケジューリングユニットを決定するステップにおいて、
前記後続のスケジューリングユニットは前記アップリンク制御チャネルを搬送することが可能なリソースを有し、前記アップリンク制御チャネルを搬送することが可能なシンボルの数は前記開始スケジューリングユニットにおいて前記アップリンク制御チャネルによって使用されるシンボルの数以上であり、前記シンボルはＮＲシステムにおいて使用され、アップリンク制御チャネルによって使用されることを許可され、前記シンボルはアップリンクシンボルを備える、
請求項１記載の方法。
【請求項４】
前記合意された規則にしたがって、前記後続のスケジューリングユニットにおいて前記アップリンク制御チャネルによって使用される前記シンボルの位置を決定するステップにおいて、
前記後続のスケジューリングユニットにおいて前記アップリンク制御チャネルを搬送するために使用される前記シンボルのシンボル位置が、前記開始スケジューリングユニットにおいて前記アップリンク制御チャネルのために使用される前記シンボルの位置と異なる場合、前記後続のスケジューリングユニットにおいて前記アップリンク制御チャネルを搬送するために使用される前記シンボルの開始シンボル位置は合前記意された規則にしたがって調整されることが可能であり、前記シンボルはＮＲシステムにおいて使用され、アップリンク制御チャネルによって使用されることを許可され、前記シンボルはアップリンクシンボルを備える、
請求項１記載の方法。
【請求項５】
前記後続のスケジューリングユニットにおいて前記アップリンク制御チャネルを搬送するために使用される前記シンボルの前記開始シンボル位置は、前記合意された規則にしたがって、
前記後続のスケジューリングユニットにおいて前記アップリンク制御チャネルを搬送するために使用される前記シンボルの開始シンボル位置を、前記後続のスケジューリングユニットにおいて前記アップリンク制御チャネルを搬送することができる第１シンボルの位置に調整するステップであって、前記シンボルはＮＲシステムにおいて使用され、アップリンク制御チャネルによって使用されることが可能であり、前記シンボルはアップリンクシンボルを備える、ステップ、
により調整可能である、
請求項４記載の方法。
【請求項６】
前記合意された規則にしたがって、前記アップリンク制御チャネルによって使用される前記後続のスケジューリングユニットを決定するステップにおいて、
前記スケジューリングユニットが、
前記スケジューリングユニットは、前記開始スケジューリングユニットにおいて送信される前記アップリンク制御チャネルと同じ数のシンボルおよび同じシンボル位置を提供することが可能であり、前記シンボルはＮＲシステムにおいて使用され、アップリンク制御チャネルによって使用されることが可能であり、前記シンボルはアップリンクシンボルを備える、
という条件を満たす場合、前記後続のスケジューリングユニットのうちの１つとしてスケジューリングユニットが選択される、
請求項１記載の方法
【請求項７】
前記合意された規則にしたがって、前記アップリンク制御チャネルによって使用される前記後続のスケジューリングユニットおよび前記後続のスケジューリングユニットにおいて前記アップリンク制御チャネルによって使用される前記シンボルの位置を決定するステップにおいて、
前記後続のスケジューリングユニットは前記アップリンク制御チャネルを搬送することが可能なリソースを有し、前記アップリンク制御チャネルを搬送することが可能なシンボルの数は前記開始スケジューリングユニットにおいて前記アップリンク制御チャネルによって使用されるシンボルの数以上であり、前記後続のスケジューリングユニットにおいて前記アップリンク制御チャネルを搬送するために使用される前記シンボルのシンボル位置は前記開始スケジューリングユニットにおいて前記アップリンク制御チャネルのために使用されるシンボルの位置と同じであり、前記シンボルはＮＲシステムにおいて使用され、アップリンク制御チャネルによって使用されることを許可され、前記シンボルはアップリンクシンボルを備える、
請求項１記載の方法。
【請求項８】
前記合意された規則にしたがって、前記アップリンク制御チャネルによって使用される前記後続のスケジューリングユニットを決定するステップにおいて、
前記後続のスケジューリングユニットは前記アップリンク制御チャネルを搬送することができるリソースを有し、前記後続のスケジューリングユニットによって搬送される前記アップリンク制御チャネルおよび前記開始スケジューリングユニットによって搬送される前記アップリンク制御チャネルは、同じ直交カバーコード多重化能力を有する、
請求項１記載の方法。
【請求項９】
前記合意された規則にしたがって、前記アップリンク制御チャネルによって使用される前記後続のスケジューリングユニットを決定するステップにおいて、
前記アップリンク制御チャネルが周波数ホッピングを実行する場合、前記後続のスケジューリングユニットは前記アップリンク制御チャネルを搬送することができるリソースを有し、前記後続のスケジューリングユニットにおける前記アップリンク制御チャネルの各周波数ホッピングに対応する直交カバーコード多重化能力は、前記開始スケジューリングユニットにおける前記アップリンク制御チャネルの各周波数ホッピングに対応する直交カバーコード多重化能力と同じである、
請求項８記載の方法。
【請求項１０】
前記合意された規則にしたがって、前記アップリンク制御チャネルによって使用される前記後続のスケジューリングユニットを決定するステップにおいて、
前記後続のスケジューリングユニットは前記アップリンク制御チャネルを搬送することができるリソースを有し、前記後続のスケジューリングユニットによって搬送される前記アップリンク制御チャネルの符号化ビットのマザーコードの長さは、前記開始スケジューリングユニットによって搬送される前記アップリンク制御チャネルの符号化ビットのマザーコードの長さと同じである、
請求項１記載の方法。
【請求項１１】
前記後続のスケジューリングユニットのタイプは、アップリンクスケジューリングユニットとダウンリンクスケジューリングユニットのみ、あるいはアップリンクスケジューリングユニットのみである、
請求項１記載の方法。
【請求項１２】
前記スケジューリングユニットの各々において前記アップリンク制御チャネルによって使用されるシンボル位置は、連続的である、
請求項１記載の方法。
【請求項１３】
アップリンク制御チャネルスケジューリングユニットを決定するための方法であって、
前記アップリンク制御チャネルによって占有されるスケジューリングユニットの数、前記アップリンク制御チャネルによって使用される開始スケジューリングユニット、前記開始スケジューリングユニットにおける前記アップリンク制御チャネルの開始シンボル位置および前記開始スケジューリングユニットにおける前記アップリンク制御チャネルによって使用されるシンボルの数、および合意された規則にしたがって、
前記アップリンク制御チャネルによって使用される後続スケジューリングユニットおよび／または前記後続スケジューリングユニットにおいて前記アップリンク制御チャネルによって使用されるシンボルの位置を、ユーザ機器によって決定するステップ、
を有する方法。
【請求項１４】
ベースステーションからスケジューリングユニットタイプ指示シグナリングを受信するように前記ベースステーションが前記ユーザ機器を構成し、前記ユーザ機器が銭ベースステーションから前記スケジューリングユニットタイプ指示シグナリングを正しく受信することに失敗した場合、前記スケジューリングユニットタイプ指示シグナリングは、前記ベースステーションが前記ユーザ機器の後続のスケジューリングユニットのタイプを通知するために使用され、
前記方法はさらに、前記開始スケジューリングユニットのみを、前記アップリンク制御チャネルによって使用されるスケジューリングユニットとして決定するステップを有する、
請求項１３記載の方法。
【請求項１５】
前記合意された規則にしたがって、前記アップリンク制御チャネルによって使用される前記後続のスケジューリングユニットを決定するステップは、
前記ユーザ機器によって、前記開始スケジューリングユニットから始まり、前記開始スケジューリングユニットを含むｎ個の連続するスケジューリングユニットを、前記アップリンク制御チャネルによって使用されるスケジューリングユニットとして決定するステップであって、ｎは善意アップリンク制御チャネルによって占有されるスケジューリングユニットの数である、ステップ、
を有する、
請求項１３記載の方法。
【請求項１６】
前記合意された規則にしたがって、銭アップリンク制御チャネルによって使用される前記後続のスケジューリングユニットを決定するステップにおいて、
前記後続のスケジューリングユニットは前記アップリンク制御チャネルを搬送することが可能なリソースを有し、前記アップリンク制御チャネルを搬送することが可能なシンボルの数は前記開始スケジューリングユニットにおいて前記アップリンク制御チャネルによって使用されるシンボルの数以上であり、前記シンボルはアップリンク制御チャネルによって使用されることを許可される、
請求項１３記載の方法。
【請求項１７】
前記合意された規則にしたがって、前記後続のスケジューリングユニットにおいて前記アップリンク制御チャネルによって使用される前記シンボルの位置を決定するステップにおいて、
前記後続のスケジューリングユニットにおいて前記アップリンク制御チャネルを搬送するために使用される前記シンボルのシンボル位置が、前記開始スケジューリングユニットにおいて前記アップリンク制御チャネルのために使用されるシンボルの位置と異なる場合、前記後続のスケジューリングユニットにおいて前記アップリンク制御チャネルを搬送するために使用される前記シンボルの開始シンボル位置は、前記合意された規則にしたがって調整されることが可能であり、前記シンボルはアップリンク制御チャネルによって使用されることが可能である、
請求項１３記載の方法。
【請求項１８】
前記後続のスケジューリングユニットにおいて前記アップリンク制御チャネルを搬送するために使用される前記シンボルの前記開始シンボル位置は、前記合意された規則にしたがって、
前記後続のスケジューリングユニットにおいて前記アップリンク制御チャネルを搬送するために使用される前記シンボルの前記開始シンボル位置を、前記後続のスケジューリングユニットにおいて前記アップリンク制御チャネルを搬送することができる第１シンボルの位置に調整するステップであって、前記シンボルはアップリンク制御チャネルによって使用されることが許可される、ステップ、
によって調整されることが可能である、
請求項１７記載の方法。
【請求項１９】
前記合意された規則にしたがって、前記アップリンク制御チャネルによって使用される前記後続のスケジューリングユニットを決定するステップにおいて、
スケジューリングユニットは、
前記スケジューリングユニットは前記開始スケジューリングユニットにおいて送信される前記アップリンク制御チャネルと同じ数のシンボルおよび同じシンボル位置を提供することが可能であり、前記シンボルはアップリンク制御チャネルによって使用されることが許可される、
という条件を満たす場合、前記後続のスケジューリングユニットのうちの１つとして選択される、
請求項１３記載の方法。
【請求項２０】
前記合意された規則にしたがって、前記アップリンク制御チャネルによって使用される前記後続のスケジューリングユニットと、前記後続のスケジューリングユニットにおいて前記アップリンク制御チャネルによって使用される前記シンボルの位置とを決定するステップにおいて、
前記後続のスケジューリングユニットは前記アップリンク制御チャネルを搬送することが可能なリソースを有し、前記アップリンク制御チャネルを搬送することが可能なシンボルの数は前記開始スケジューリングユニットにおいて前記アップリンク制御チャネルによって使用されるシンボルの数以上であり、前記後続のスケジューリングユニットにおいて前記アップリンク制御チャネルを搬送するために使用されるシンボルの位置は前記開始スケジューリングユニットにおいて前記アップリンク制御チャネルに使用されるシンボルの位置と同じであり、前記シンボルはアップリンク制御チャネルによって使用されることを許可される、
請求項１３記載の方法。
【請求項２１】
前記合意された規則にしたがって、前記アップリンク制御チャネルによって使用される前記後続のスケジューリングユニットを決定するステップにおいて、
前記後続のスケジューリングユニットは前記アップリンク制御チャネルを搬送することができるリソースを有し、前記後続のスケジューリングユニットによって搬送される前記アップリンク制御チャネルおよび前記開始スケジューリングユニットによって搬送される前記アップリンク制御チャネルは、同じ直交カバーコード多重化能力を有する、
請求項１３記載の方法。
【請求項２２】
前記合意された規則にしたがって、前記アップリンク制御チャネルによって使用される前記後続のスケジューリングユニットを決定するステップにおいて、
前記アップリンク制御チャネルが周波数ホッピングを実行するとき、前記後続のスケジューリングユニットは前記アップリンク制御チャネルを搬送することができるリソースを有し、前記後続のスケジューリングユニットにおける前記アップリンク制御チャネルの各周波数ホッピングに対応する直交カバーコード多重化能力は、前記開始スケジューリングユニットにおける前記アップリンク制御チャネルの各周波数ホッピングに対応する直交カバーコード多重化能力と同じである、
請求項２１記載の方法。
【請求項２３】
前記合意された規則にしたがって、前記アップリンク制御チャネルによって使用される前記後続のスケジューリングユニットを決定するステップにおいて、
前記後続のスケジューリングユニットは前記アップリンク制御チャネルを搬送することができるリソースを有し、前記後続のスケジューリングユニットによって搬送される前記アップリンク制御チャネルの符号化ビットのマザーコードの長さは、前記開始スケジューリングユニットによって搬送される前記アップリンク制御チャネルの符号化ビットのマザーコードの長さと同じである、
請求項１３記載の方法。
【請求項２４】
前記後続のスケジューリングユニットのタイプは、アップリンクスケジューリングユニットおよびダウンリンクスケジューリングユニットのみ、またはアップリンクスケジューリングユニットのみである、
請求項１３記載の方法。
【請求項２５】
前記スケジューリングユニットの各々において前記アップリンク制御チャネルによって使用されるシンボル位置は、連続的である、
請求項１３記載の方法。
【請求項２６】
請求項１から２５のいずれか１項記載のアップリンク制御チャネルスケジューリングユニットを決定する方法のステップを実施するために１つ以上のプロセッサによって実行される、１つ以上のプログラムを記憶する、コンピュータ読取可能な記憶媒体。
【請求項２７】
ベースステーションであって、
ユーザ機器のアップリンク制御チャネルによって占有されるスケジューリングユニットの数、前記アップリンク制御チャネルによって使用される開始スケジューリングユニット、前記開始スケジューリングユニット内の前記アップリンク制御チャネルの開始シンボル位置および前記開始スケジューリングユニット内の前記アップリンク制御チャネルによって使用されるシンボルの数、および合意されたルールにしたがって、
前記アップリンク制御チャネルによって使用される後続のスケジューリングユニットおよび／または前記後続のスケジューリングユニット内の前記アップリンク制御チャネルによって使用されるシンボルの位置を決定するように構成されている、第１決定ユニットを備える、
ベースステーション。
【請求項２８】
ユーザ機器であって、
ユーザ機器のアップリンク制御チャネルによって占有されるスケジューリングユニットの数、前記アップリンク制御チャネルによって使用される開始スケジューリングユニット、前記開始スケジューリングユニット内の前記アップリンク制御チャネルの開始シンボル位置および前記開始スケジューリングユニット内の前記アップリンク制御チャネルによって使用されるシンボルの数、および合意されたルールにしたがって、
前記アップリンク制御チャネルによって使用される後続のスケジューリングユニットおよび／または前記後続のスケジューリングユニット内の前記アップリンク制御チャネルによって使用されるシンボルの位置を決定するように構成されている、第２決定ユニットを備える、
ユーザ機器。
【発明の詳細な説明】
【技術分野】
【０００１】
＜関連出願への相互参照＞
本願は、２０１７年１１月１０日に出願された中国特許出願第２０１７１１１０７７４８．１号に基づいており、同中国特許出願の優先権を主張し、その開示は、その全体が参照により本明細書に組み込まれる。
【０００２】
本開示は、無線通信技術の分野に関し、特に、アップリンク制御チャネルスケジューリングユニットを決定する方法、ベースステーション、およびユーザ機器に関するが、これらに限定されない。
【背景技術】
【０００３】
５Ｇ  ＮＲ（Ｎｅｗ  Ｒａｄｉｏ）は、進行中の３ＧＰＰ（第３世代パートナーシッププロジェクト）研究項目であり、直交周波数分割多重（ＯＦＤＭ）に基づく新しい無線インターフェース規格を決定し、次世代モバイルネットワークの基礎となる。
【０００４】
ＮＲシステムにおいては、スケジューリングユニット（例えば、スロット（ｓｌｏｔ）、以下ではスロットを例に説明する）は様々な構造を有し、ベースステーションによって柔軟に構成することができる。場合によっては、スロットはダウンリンク送信部分、アップリンク送信部分、およびガード期間（GP）部分のうちの１つまたは複数を含むことができ、各部分によって占有されるＯＦＤＭシンボルの数を構成することができる。言い換えれば、１つのスロットにおけるアップリンク伝送に使用されるＯＦＤＭシンボルの数は、０〜１４の範囲内で変化する。
【０００５】
ＮＲシステムにおいては、ＰＵＣＣＨ（Ｐｈｙｓｉｃａｌ  Ｕｐｌｉｎｋ  Ｃｏｎｔｒｏｌ  Ｃｈａｎｎｅｌ）は、ショートＰＵＣＣＨとロングＰＵＣＣＨの２つのカテゴリに分類される。ショートＰＵＣＣＨは主に、セルの中央領域のユーザ機器がＡＣＫ／ＮＡＣＫフィードバックまたはその他チャネル状態情報（Ｃｈａｎｎｅｌ  Ｓｔａｔｅ  Ｉｎｆｏｒｍａｔｉｏｎ、ＣＳＩ）を送信するために用いられる。ショートＰＵＣＣＨは一般に、スロットの終わりに位置するいくつかのＯＦＤＭシンボル（例えば、ダウンリンクスロットの終わりにおける１つまたは２つのＯＦＤＭシンボル；またはアップリンクスロットの終わりにおける１つまたは２つのＯＦＤＭシンボル）、またはスロット内のアップリンクデータの前に配置されるいくつかのシンボルを占有する。ロングＰＵＣＣＨは主にセルのエッジでＵＥのために使用され、ロングアップリンク制御チャネルの伝送カバレッジを改善するために、より多くのＯＦＤＭシンボルを占有する。ロングＰＵＣＣＨは一般に、４〜１４個のＯＦＤＭシンボルを含み、複数のスロットにまたがることが可能であり、詳細な実装方法は、依然として議論中である。
【０００６】
ＮＲシステムにおいては、ＰＵＣＣＨが複数のスロットにまたがることが許される。例えば、１つのＰＵＣＣＨはより多くのアップリンクＯＦＤＭシンボルを必要とするが、１つのスロットに十分なＯＦＤＭシンボルが存在しないので、十分なＯＦＤＭシンボルを提供するためにはより多くのスロットが必要である。ベースステーションが、複数のスロットにまたがるＰＵＣＣＨをＵＥに対して構成する場合、ベースステーションは、ＰＵＣＣＨの開始スロットおよびスパンする必要があるスロットの数をＵＥに通知する。例えばベースステーションは、複数のスロットにまたがるＰＵＣＣＨの開始スロットがスロットｎであり、スパンする必要があるスロットの数が４であることを、ＵＥに通知する。しかしながら、スロットは動的に変化する構造を有する。すなわち、スロットｎの後のスロットは、ダウンリンク支配スロット（ダウンリンクＯＦＤＭシンボルの数がスロット内のアップリンクＯＦＤＭシンボルの数よりも多い）、アップリンク支配スロット（アップリンクＯＦＤＭシンボルの数がスロット内のダウンリンクＯＦＤＭシンボルの数よりも多い）、アップリンク専用スロット、ダウンリンク専用スロット、予約スロットなどを含む。リソースの有効利用と通信品質とのバランスをとるために、開始スロットを除く残りの３つのスロットをＵＥがどのように選択し、ＮＲシステムの異なる通信要件を満たすようにリソースをスケジュールするかについては、不明である。
【発明の概要】
【発明が解決しようとする課題】
【０００７】
本開示は、開始スケジューリングユニットの後に、ＰＵＣＣＨスパニングスケジューリングユニットのスケジューリングユニットとして適切なスケジューリングユニットを選択することを可能にする、アップリンク制御チャネルスケジューリングユニットを決定する方法、ベースステーション、およびユーザ機器を提供する。
【課題を解決するための手段】
【０００８】
本開示の実施形態の技術的解決策は、以下のように実施される。
【０００９】
本開示の実施形態は、以下のステップを含む、アップリンク制御チャネルスケジューリングユニットを決定するための方法を提供する：
【００１０】
ユーザ機器のアップリンク制御チャネルが占有するスケジューリングユニットの数、アップリンク制御チャネルが用いる開始スケジューリングユニット、開始スケジューリングユニットにおけるアップリンク制御チャネルの開始シンボル位置および開始スケジューリングユニットにおけるアップリンク制御チャネルが用いるシンボル個数、および合意ルールにしたがって、アップリンク制御チャネルが占有する後続スケジューリングユニットおよび／または後続スケジューリングユニットのアップリンク制御チャネルが使用するシンボル位置を、ベースステーションによって決定するステップ。
【００１１】
本開示の実施形態はまた、アップリンク制御チャネルスケジューリングユニットを決定するための方法の前述のステップのいずれか１つを実施するために１つまたは複数のプロセッサによって実行される、１つまたは複数のプログラムを記憶するコンピュータ可読記憶媒体を提供する。
【００１２】
本開示の実施形態はまた、アップリンク制御チャネルスケジューリングユニットを決定するための方法を提供し、同方法は以下のステップを含む：
【００１３】
アップリンク制御チャネルによって使用されるスケジューリングユニットの数、アップリンク制御チャネルによって使用される開始スケジューリングユニット、開始スケジューリングユニットにおけるアップリンク制御チャネルの開始シンボル位置および開始スケジューリングユニットにおけるアップリンク制御チャネルによって使用されるシンボルの数、および合意ルールにしたがって、アップリンク制御チャネルが使用する後続スケジューリングユニットおよび／または後続スケジューリングユニットにおけるアップリンク制御チャネルが使用するシンボルの位置を、ユーザ機器によって決定するステップ。
【００１４】
本開示の１実施形態によれば、スケジューリングユニットタイプ指示シグナリングをベースステーションから受信するようにベースステーションがユーザ機器を構成し、ユーザ機器がベースステーションからスケジューリングユニットタイプ指示シグナリングを正しく受信することに失敗した場合、スケジューリングユニットタイプ指示シグナリングはベースステーションがユーザ機器の後続のスケジューリングユニットのタイプを示すために使用され、前記方法はさらに、ユーザ機器によって、後続のスケジューリングユニットを決定することをスキップするステップ；アップリンク制御チャネルによって使用されるスケジューリングユニットとして開始スケジューリングユニットのみを決定するステップ；を含む。
【００１５】
本開示の実施形態はまた、アップリンク制御チャネルスケジューリングユニットを決定するための方法の前述のステップのいずれか１つを実施するために１つまたは複数のプロセッサによって実行される、１つまたは複数のプログラムを記憶するコンピュータ可読記憶媒体を提供する。
【００１６】
本開示の実施形態はまた、以下を含むベースステーションを提供する：
【００１７】
アップリンク制御チャネルによって占有されるスケジューリングユニットの数、アップリンク制御チャネルによって使用される開始スケジューリングユニット、開始スケジューリングユニットにおけるアップリンク制御チャネルの開始シンボル位置および開始スケジューリングユニットにおけるアップリンク制御チャネルによって使用されるシンボルの数、および合意ルールにしたがって、アップリンク制御チャネルによって使用される後続スケジューリングユニットおよび／または後続スケジューリングユニットにおいてアップリンク制御チャネルによって使用されるシンボルの位置を決定するように構成される、第１決定ユニット。
【００１８】
本開示の実施形態はまた、以下を含むユーザ機器を提供する：
【００１９】
ユーザ機器のアップリンク制御チャネルによって占有されるスケジューリングユニットの数、アップリンク制御チャネルによって使用される開始スケジューリングユニット、開始スケジューリングユニットにおけるアップリンク制御チャネルの開始シンボル位置および開始スケジューリングユニットにおけるアップリンク制御チャネルによって使用されるシンボルの数、および合意ルールにしたがって、アップリンク制御チャネルによって使用される後続のスケジューリングユニットおよび／または後続のスケジューリングユニットにおいてアップリンク制御チャネルによって使用されるシンボルの位置を決定するように構成される、第２決定ユニット。
【発明の効果】
【００２０】
本開示の技術的解決策は、以下の有利な効果を有する。
【００２１】
本開示で提供されるアップリンク制御チャネルスケジューリングユニットを決定する方法、ベースステーション、およびユーザ機器によれば、ユーザ機器のアップリンク制御チャネルによって使用されるスケジューリングユニットは合意された規則にしたがって決定され、スロットにわたるＰＵＣＣＨを搬送するための開始スロットが解決された後に、他の適切なスロットをどのように選択するかという技術的問題が解決される；リソースの柔軟なスケジューリングが簡単に達成され、それによって、異なるＰＵＣＣＨ通信要件および通信品質を満たす。
【図面の簡単な説明】
【００２２】
本明細書で説明される図面は、本開示のさらなる理解を提供するために使用され、本開示の一部を形成する。本開示の例示的な実施形態およびその説明は本開示を説明するために使用されるが、本開示を限定することは意図されない。
【００２３】
【図１】本開示の実施形態によって提供されるアップリンク制御チャネルスケジューリングユニットを決定するための方法の概略フローチャート図である；
【００２４】
【図２】本開示の実施形態によって提供されるアップリンク制御チャネルスケジューリングユニットを決定するための方法の概略フローチャート図である；
【００２５】
【図３】本開示の実施形態によって提供されるベースステーションの概略構造図である；
【００２６】
【図４】本開示の実施形態によって提供されるユーザ機器の概略構造図である；
【００２７】
【図５】本開示の実施形態によって提供されるＤＭＲＳパターンの概略構造図である。
【発明を実施するための形態】
【００２８】
本開示の目的、技術的解決法、および利点をより明確にするために、本開示の実施形態を、添付の図面を参照して以下に詳細に説明する。なお、本開示の実施形態および実施形態における特徴は、互いに矛盾しない場合には任意に組み合わせることができる。
【００２９】
特に、スロットはスケジューリングユニットを例示するための例として用いられ、スケジューリングユニットはいくつかの連続するＯＦＤＭシンボルを含むことに留意されたい。連続ＯＦＤＭシンボルは、アップリンク専用スケジューリングユニットまたはダウンリンク専用スケジューリングユニット、あるいはアップリンクおよびダウンリンクが混合されるスケジューリングユニットのいずれかであり得る。ここでのスロットは従来のスロットであってもよく、例えば、現在、ＮＲは６ＧＨｚを超えない周波数帯域では１スロットが７または１４個のＯＦＤＭシンボルを含み、６ＧＨｚを超える周波数帯域では、１スロットが決定されるべき他の値を有する少なくとも１４個のＯＦＤＭシンボルを含むことを規定している。ここでのスロットはミニスロット（ミニスロット、ミニスケジューリングユニットとも呼ばれる）であってもよく、例えば、ＮＲでは、現在定義されているミニスロットに含まれるシンボルの数は少なくとも１であり、スロット内のシンボルの総数は最大で１を引いたものである。明らかに、ミニスロット内のシンボルの数は著しく変化する。
【００３０】
以下の実施形態は独立して存在することができ、異なる実施形態における技術的特徴は、１つの実施形態において組み合わされ、使用されることができる。本明細書で特に述べない限り、ＰＵＣＣＨリソースは、ショートＰＵＣＣＨリソースおよび／またはロングＰＵＣＣＨリソースであり得る。ここでのＰＵＣＣＨは物理アップリンク制御チャネル（例えば、アップリンク制御エリアまたはアップリンク制御とも呼ばれる伝送特性に従う）に対応し、ＮＲ規格の定式化において、ＰＵＣＣＨはＮＲ-ＰＵＣＣＨのような他の略語として省略される場合があるが、その本来の意図は依然として物理アップリンク制御チャネルであり、意味は変更されておらず、したがって、アドレッシングは本出願の保護範囲を限定するものではない。
【００３１】
図１に示すように、本開示によれば、アップリンク制御チャネルスケジューリングユニットを決定するための方法は、以下のステップを含む：
【００３２】
ステップ１０１：ベースステーションはユーザ機器に対して、ユーザ機器のアップリンク制御チャネルによって占有されるスケジューリングユニットの数、アップリンク制御チャネルによって使用される開始スケジューリングユニット、開始スケジューリングユニット内のアップリンク制御チャネルの開始シンボル位置、および開始スケジューリングユニット内のアップリンク制御チャネルによって使用されるシンボルの数を構成する；
【００３３】
ステップ１０２：ベースステーションは、スケジューリングユニットの数、開始スケジューリングユニット、開始シンボル位置、使用されるシンボルの数、および合意された規則にしたがって、アップリンク制御チャネルによって使用される後続のスケジューリングユニットおよび／または後続のスケジューリングユニット内のアップリンク制御チャネルによって使用されるシンボルの位置を決定する。
【００３４】
ベースステーションがベースステーションからスケジューリングユニットタイプ指示シグナリングを受信するようにユーザ機器を構成し、ユーザ機器がベースステーションからスケジューリングユニットタイプ指示シグナリングを正しく受信しない場合、スケジューリングユニットタイプ指示シグナリングは、ベースステーションがユーザ機器の後続のスケジューリングユニットのタイプを示すために使用され、本方法はさらに、以下を含むことに留意されたい：
【００３５】
ユーザ装置によって、開始スケジューリングユニットのみを、アップリンク制御チャネルによって使用されるスケジューリングユニットとして決定するステップ。このようにして、ユーザ装置はスケジューリングユニット指示シグナリングに示されるアップリンク制御チャネルによって使用される開始スケジューリングユニットにおいてのみ、アップリンク制御チャネルの制御情報を送信する。
【００３６】
いくつかの実施形態では、ベースステーションがベースステーションからスケジューリングユニットタイプ指示シグナリングを受信するようにユーザ機器を構成しない場合、合意された規則にしたがってアップリンク制御チャネルによって使用される後続のスケジューリングユニットを決定するステップは、以下を含む：
【００３７】
ベースステーションによって、開始スケジューリングユニットから始まり開始スケジューリングユニットを含む連続するｎ個のスケジューリングユニットを、アップリンク制御チャネルによって使用されるスケジューリングユニットとして決定するステップ。ｎは、アップリンク制御チャネルによって占有されるスケジューリングユニットの数である。
【００３８】
ベースステーションがベースステーションからスケジューリングユニットタイプ指示シグナリングを受信するようにユーザ機器を構成しない場合、ユーザ機器は、スケジューリングユニット指示シグナリングで示されるアップリンク制御チャネルによって使用される開始スケジューリングユニットから始まる連続するＮ個のスケジューリングユニットにおいて、アップリンク制御チャネルの制御情報を送信することに留意されたい。
【００３９】
いくつかの実施形態では、合意された規則にしたがってアップリンク制御チャネルによって使用される後続のスケジューリングユニットを決定するステップは、以下を含む：
【００４０】
後続のスケジューリングユニットはアップリンク制御チャネルを搬送することができるリソースを有し、アップリンク制御チャネルを搬送することができるシンボルの数は、開始スケジューリングユニットにおいてアップリンク制御チャネルによって使用されるシンボルの数以上である。シンボルは、ＮＲシステムにおいて使用され、アップリンク制御チャネルによって使用されることを許可され、シンボルはアップリンクシンボルを含む。
【００４１】
本開示の１実施形態において、合意された規則にしたがって後続のスケジューリングユニットにおいてアップリンク制御チャネルによって使用されるシンボルの位置を決定するステップは、以下を含む：
【００４２】
後続のスケジューリングユニットにおいてアップリンク制御チャネルを搬送するために使用されるアップリンクシンボルのシンボル位置が、開始スケジューリングユニットにおいてアップリンク制御チャネルのために使用されるシンボルの位置と異なる場合、後続のスケジューリングユニットにおいてアップリンク制御チャネルを搬送するために使用されるアップリンクシンボルの開始シンボル位置は、アップリンク制御チャネルを搬送することができる第１アップリンクシンボルの位置である。
【００４３】
いくつかの実施形態において、合意された規則にしたがって、アップリンク制御チャネルによって使用される後続のスケジューリングユニットと、後続のスケジューリングユニットにおけるアップリンク制御チャネルによって使用されるシンボルの位置とを決定するステップは、以下を含む：
【００４４】
後続のスケジューリングユニットはアップリンク制御チャネルを搬送することができるリソースを有し、アップリンク制御チャネルを搬送することができるシンボルの数は開始スケジューリングユニットにおいてアップリンク制御チャネルによって使用されるシンボルの数以上であり、後続のスケジューリングユニットにおいてアップリンク制御チャネルを搬送するために使用されるシンボルのシンボル位置は、開始スケジューリングユニットにおいてアップリンク制御チャネルに使用されるシンボルの位置と同じである。シンボルは、ＮＲシステムにおい使用され、アップリンク制御チャネルによって使用されることを許可され、シンボルはアップリンクシンボルを含む。
【００４５】
いくつかの実施形態では、合意された規則にしたがってアップリンク制御チャネルによって使用される後続のスケジューリングユニットを決定するステップは、以下を含む：
【００４６】
後続のスケジューリングユニットはアップリンク制御チャネルを搬送することができるリソースを有し、後続のスケジューリングユニットによって搬送されるアップリンク制御チャネルとスタートスケジューリングユニットによって搬送されるアップリンク制御チャネルは、同じ直交カバー符号（ＯＣＣ）多重化能力を有する。
【００４７】
本開示の１実施形態では、合意された規則にしたがってアップリンク制御チャネルによって使用される後続のスケジューリングユニットを決定するステップは、以下を含む：
【００４８】
アップリンク制御チャネルが周波数ホッピングを行う場合、後続のスケジューリングユニットはアップリンク制御チャネルを搬送できるリソースを有し、後続のスケジューリングユニットにおけるアップリンク制御チャネルの各周波数ホッピングに対応する直交カバー符号多重化能力は、開始スケジューリングユニットにおけるアップリンク制御チャネルの各周波数ホッピングに対応する直交カバー符号多重化能力と同じであることを満たす。
【００４９】
アップリンク制御チャネルが、決定されたスケジューリングユニットにおいて周波数ホッピングを実行しない場合、ＯＣＣ多重化能力が全体として計算されることに留意されたい。
【００５０】
いくつかの実施形態では、合意された規則にしたがってアップリンク制御チャネルによって使用される後続のスケジューリングユニットを決定するステップは、以下を含む：
【００５１】
後続のスケジューリングユニットはアップリンク制御チャネルを搬送することができるリソースを有し、後続のスケジューリングユニットによって搬送されるアップリンク制御チャネルの符号化ビットのマザーコードの長さは、開始スケジューリングユニットによって搬送されるアップリンク制御チャネルの符号化ビットのマザーコードの長さと同じである。
【００５２】
いくつかの実施形態では、後続のスケジューリングユニットのタイプは、アップリンクスケジューリングユニットおよびダウンリンクスケジューリングユニットのみを含む。
【００５３】
いくつかの実施形態では、後続のスケジューリングユニットのタイプは、アップリンクスケジューリングユニットのみを含む。
【００５４】
いくつかの実施形態では、スケジューリングユニットの各々においてアップリンク制御チャネルによって使用されるシンボル位置は、連続的である。
【００５５】
いくつかの実施形態において、合意された規則にしたがってアップリンク制御チャネルによって使用される後続のスケジューリングユニットを決定するステップは、以下を含む：スケジューリングユニットが以下の条件を満たす場合、スケジューリングユニットが後続のスケジューリングユニットのうちの１つとして選択される：スケジューリングユニットは開始スケジューリングユニットにおいて送信されるアップリンク制御チャネルと同じ数のシンボルおよび同じシンボル位置を提供することが可能であり、シンボルはＮＲシステムにおいて使用され、アップリンク制御チャネルによって使用されることが可能であり、シンボルはアップリンクシンボルを含む。
【００５６】
本開示の実施形態はまた、アップリンク制御チャネルスケジューリングユニットを決定するための方法の前述のステップのいずれか１つを実施するために１つまたは複数のプロセッサによって実行される、１つまたは複数のプログラムを記憶するコンピュータ可読記憶媒体を提供する。
【００５７】
図２に示されるように、本開示はまた、アップリンク制御チャネルスケジューリングユニットを決定するための方法を開示し、以下のステップを含む：
【００５８】
ステップ２０１：ユーザ機器はベースステーションからリソース構成シグナリングを受信し、リソース構成シグナリングは、ユーザ機器のアップリンク制御チャネルによって占有されるスケジューリングユニットの数と、アップリンク制御チャネルによって使用される開始スケジューリングユニットと、開始スケジューリングユニット内のアップリンク制御チャネルの開始シンボル位置と、開始スケジューリングユニット内のアップリンク制御チャネルによって使用されるシンボルの数とを含む。
【００５９】
ステップ２０２：ユーザ機器は、リソース構成シグナリングおよび合意された規則にしたがって、アップリンク制御チャネルによって使用される後続のスケジューリングユニットおよび／または後続のスケジューリングユニット内のアップリンク制御チャネルによって使用されるシンボルの位置を決定する。
【００６０】
いくつかの実施形態では、ベースステーションからスケジューリングユニットタイプ指示シグナリングを受信するようにベースステーションがユーザ機器を構成し、ユーザ機器がベースステーションからスケジューリングユニットタイプ指示シグナリングを正しく受信しない場合、スケジューリングユニットタイプ指示シグナリングはベースステーションがユーザ機器の後続のスケジューリングユニットのタイプを示すために使用され、本方法はさらに以下を含む：
【００６１】
ユーザ装置によって後続のスケジューリングユニットを決定するステップをスキップし、開始スケジューリングユニットのみを、アップリンク制御チャネルによって使用されるスケジューリングユニットとして決定する。
【００６２】
ベースステーションが、ベースステーションからスケジューリングユニットタイプ指示シグナリングを受信するようにユーザ機器を構成しない場合、ユーザ機器はスケジューリングユニット指示シグナリングに示されるアップリンク制御チャネルによって使用される開始スケジューリングユニットにおいてのみ、アップリンク制御チャネルの制御情報を送信することに留意されたい。
【００６３】
いくつかの実施形態では、ベースステーションがベースステーションからスケジューリングユニットタイプ指示シグナリングを受信するようにユーザ機器を構成しない場合、またはベースステーションがユーザ機器のためのスケジューリングユニットタイプ指示シグナリングを構成しない場合、本方法は以下を含む：
【００６４】
開始スケジューリングユニットから始まり、開始スケジューリングユニットを含む連続するｎ個のスケジューリングユニットを、アップリンク制御チャネルによって使用されるスケジューリングユニットとして、ユーザ機器によって決定するステップ（ｎは、アップリンク制御チャネルによって占有されるスケジューリングユニットの数である）。
【００６５】
ベースステーションからスケジューリングユニットタイプ指示シグナリングを受信するようにベースステーションがユーザ機器を構成しない場合、ユーザ機器は、スケジューリングユニット指示シグナリングで示されるアップリンク制御チャネルによって使用される開始スケジューリングユニットから始まる連続するｎ個のスケジューリングユニットにおいて、アップリンク制御チャネルの制御情報を送信することに留意されたい。
【００６６】
いくつかの実施形態では、合意された規則にしたがってアップリンク制御チャネルによって使用される後続のスケジューリングユニットを決定するステップは、以下を含む：
【００６７】
後続のスケジューリングユニットはアップリンク制御チャネルを搬送することができるリソースを有し、アップリンク制御チャネルを搬送することができるシンボルの数は、開始スケジューリングユニットにおいてアップリンク制御チャネルによって使用されるシンボルの数以上である。シンボルは、ＮＲシステムにおいて使用され、アップリンク制御チャネルによって使用されることを許可され、シンボルはアップリンクシンボルを含む。
【００６８】
いくつかの実施形態では、合意された規則にしたがってアップリンク制御チャネルによって使用される後続のスケジューリングユニットを決定するステップは、以下を含む：
【００６９】
後続のスケジューリングユニットにおいてアップリンク制御チャネルを搬送するために使用されるシンボルのシンボル位置が、開始スケジューリングユニットにおいてアップリンク制御チャネルのために使用されるシンボルの位置と異なる場合、後続のスケジューリングユニットにおいてアップリンク制御チャネルを搬送するために使用されるシンボルの開始シンボル位置は、アップリンク制御チャネルを搬送することができる第１シンボルの位置である。シンボルは、ＮＲシステムにおいて使用され、アップリンク制御チャネルによって使用されることを許可され、シンボルはアップリンクシンボルを含む。
【００７０】
いくつかの実施形態では、合意された規則にしたがって、アップリンク制御チャネルによって使用される後続のスケジューリングユニットと、後続のスケジューリングユニットにおけるアップリンク制御チャネルによって使用されるシンボルの位置とを決定するステップは、以下を含む：
【００７１】
後続のスケジューリングユニットはアップリンク制御チャネルを搬送することができるリソースを有し、アップリンク制御チャネルを搬送することができるシンボルの数は開始スケジューリングユニットにおいてアップリンク制御チャネルによって使用されるシンボルの数以上であり、後続のスケジューリングユニットにおいてアップリンク制御チャネルを搬送するために使用されるシンボルのシンボル位置は、開始スケジューリングユニットにおいてアップリンク制御チャネルに使用されるシンボルの位置と同じである。シンボルは、ＮＲシステムにおいて使用され、アップリンク制御チャネルによって使用されることを許可され、シンボルはアップリンクシンボルを含む。
【００７２】
いくつかの実施形態では、合意された規則にしたがってアップリンク制御チャネルによって使用される後続のスケジューリングユニットを決定するステップは、以下を含む：
【００７３】
後続のスケジューリングユニットはアップリンク制御チャネルを搬送することができるリソースを有し、後続のスケジューリングユニットによって搬送されるアップリンク制御チャネルおよび開始スケジューリングユニットによって搬送されるアップリンク制御チャネルは、同じ直交カバーコード多重化能力を有する。
【００７４】
本開示の１実施形態では、合意された規則にしたがってアップリンク制御チャネルによって使用される後続のスケジューリングユニットを決定するステップは、以下を含む：
【００７５】
アップリンク制御チャネルが周波数ホッピングを行う場合、後続のスケジューリングユニットはアップリンク制御チャネルを搬送できるリソースを有し、後続のスケジューリングユニットにおけるアップリンク制御チャネルの各周波数ホッピングに対応する直交カバー符号多重化能力は、開始スケジューリングユニットにおけるアップリンク制御チャネルの各周波数ホッピングに対応する直交カバー符号多重化能力と同じであることを満たす。
【００７６】
アップリンク制御チャネルが、決定されたスケジューリングユニットにおいて周波数ホッピングを実行しない場合、ＯＣＣ多重化能力が全体として計算されることに留意されたい。
【００７７】
いくつかの実施形態では、合意された規則にしたがってアップリンク制御チャネルによって使用される後続のスケジューリングユニットを決定するステップは、以下を含む：
【００７８】
後続のスケジューリングユニットはアップリンク制御チャネルを搬送することができるリソースを有し、後続のスケジューリングユニットによって搬送されるアップリンク制御チャネルの符号化ビットのマザーコードの長さが、開始スケジューリングユニットによって搬送されるアップリンク制御チャネルの符号化ビットのマザーコードの長さと同じであることが満たされる。
【００７９】
いくつかの実施形態では、後続のスケジューリングユニットのタイプは、アップリンクスケジューリングユニットおよびダウンリンクスケジューリングユニットのみを含む。
【００８０】
いくつかの実施形態では、後続のスケジューリングユニットのタイプは、アップリンクスケジューリングユニットのみを含む。
【００８１】
いくつかの実施形態では、スケジューリングユニットの各々においてアップリンク制御チャネルによって使用されるシンボル位置は、連続的である。
【００８２】
いくつかの実施形態では、合意された規則にしたがって、アップリンク制御チャネルによって使用される後続のスケジューリングユニットを決定するステップは、以下を含む：スケジューリングユニットが以下の条件を満たす場合、スケジューリングユニットが後続のスケジューリングユニットのうちの１つとして選択されるステップ：おいてスケジューリングユニットは開始スケジューリングユニットにおいて送信されるアップリンク制御チャネルと同じ数のシンボルおよび同じシンボル位置を提供することが可能であり、シンボルはＮＲシステムに使用され、アップリンク制御チャネルによって使用されることが可能であり、シンボルはアップリンクシンボルを含む。
【００８３】
本開示の実施形態はまた、アップリンク制御チャネルスケジューリングユニットを決定するための方法の前述のステップのいずれか１つを実施するために１つまたは複数のプロセッサによって実行される、１つまたは複数のプログラムを記憶するコンピュータ可読記憶媒体を提供する。
【００８４】
図３に示されるように、本開示はまた、以下を含むベースステーションを開示する：
【００８５】
ユーザ機器に対して、アップリンク制御チャネルによって占有されるスケジューリングユニットの数、アップリンク制御チャネルによって使用される開始スケジューリングユニット、開始スケジューリングユニット内のアップリンク制御チャネルの開始シンボル位置、および開始スケジューリングユニット内のアップリンク制御チャネルによって使用されるシンボルの数、を構成するように構成された構成ユニット３０１；
【００８６】
アップリンク制御チャネルによって使用される後続のスケジューリングユニットおよび／または後続のスケジューリングユニット内のアップリンク制御チャネルによって使用されるシンボルの位置を、スケジューリングユニットの数、開始スケジューリングユニット、開始シンボル位置、使用されるシンボルの数、および合意された規則にしたがって決定するように構成された第１決定ユニット３０２。
【００８７】
ベースステーションからスケジューリングユニットタイプ指示シグナリングを受信するようにベースステーションがユーザ機器を構成し、ユーザ機器がベースステーションからスケジューリングユニットタイプ指示シグナリングを正しく受信しない場合、スケジューリングユニットタイプ指示シグナリングは、ベースステーションがユーザ機器の後続のスケジューリングユニットのタイプを示すために使用され、ユーザ機器はアップリンク制御チャネルによって使用されるスケジューリングユニットとして開始スケジューリングユニットのみを決定する。すなわちユーザ機器は、スケジューリングユニット指示シグナリングに示されるアップリンク制御チャネルによって使用される開始スケジューリングユニットにおいてのみ、アップリンク制御チャネルの制御情報を送信することに留意されたい。
【００８８】
いくつかの実施形態では、ベースステーションからスケジューリングユニットタイプ指示シグナリングを受信するようにベースステーションがユーザ機器を構成しない場合、またはベースステーションがユーザ機器のためのスケジューリングユニットタイプ指示シグナリングを構成しない場合、第１決定ユニット３０２は以下のように構成される：
【００８９】
開始スケジューリングユニットから始まり、開始スケジューリングユニットを含む連続するｎ個のスケジューリングユニットを、アップリンク制御チャネルによって使用されるスケジューリングユニットとして決定する。ｎは、アップリンク制御チャネルによって占有されるスケジューリングユニットの数である。
【００９０】
ベースステーションからスケジューリングユニットタイプ指示シグナリングを受信するようにベースステーションがユーザ機器を構成しない場合、ユーザ機器は、スケジューリングユニット指示シグナリングで示されるアップリンク制御チャネルによって使用される開始スケジューリングユニットから始まる連続するｎ個のスケジューリングユニットにおいて、アップリンク制御チャネルの制御情報を送信することに留意されたい。
【００９１】
いくつかの実施形態では、第１決定ユニット３０２は以下の方法により、合意された規則にしたがってアップリンク制御チャネルによって使用される後続のスケジューリングユニットを決定するように構成される：
【００９２】
後続のスケジューリングユニットはアップリンク制御チャネルを搬送することができるリソースを有し、アップリンク制御チャネルを搬送することができるアップリンクシンボルの数は、開始スケジューリングユニットにおいてアップリンク制御チャネルによって使用されるシンボルの数以上である。
【００９３】
本開示の１実施形態では、第１決定ユニット３０２は以下の方法により、合意された規則にしたがって後続のスケジューリングユニットにおいてアップリンク制御チャネルによって使用されるシンボルの位置を決定するように構成される：
【００９４】
後続のスケジューリングユニットにおいてアップリンク制御チャネルを搬送するために使用されるアップリンクシンボルのシンボル位置が、開始スケジューリングユニットにおいてアップリンク制御チャネルのために使用されるシンボルの位置と異なる場合、後続のスケジューリングユニットにおいてアップリンク制御チャネルを搬送するために使用されるアップリンクシンボルの開始シンボル位置は、アップリンク制御チャネルを搬送することができる第１アップリンクシンボルの位置である。
【００９５】
いくつかの実施形態では、合意された規則にしたがって、アップリンク制御チャネルによって使用される後続のスケジューリングユニットと、後続のスケジューリングユニットにおけるアップリンク制御チャネルによって使用されるシンボルの位置とを決定するように構成された第１決定ユニット３０２は、以下を含む：
【００９６】
後続のスケジューリングユニットはアップリンク制御チャネルを搬送することができるリソースを有し、アップリンク制御チャネルを搬送することができるシンボルの数は開始スケジューリングユニットにおいてアップリンク制御チャネルによって使用されるシンボルの数以上であり、後続のスケジューリングユニットにおいてアップリンク制御チャネルを搬送するために使用されるシンボルのシンボル位置は、開始スケジューリングユニットにおいてアップリンク制御チャネルに使用されるシンボルの位置と同じである。シンボルは、ＮＲシステムにおいて使用され、アップリンク制御チャネルによって使用されることを許可され、シンボルはアップリンクシンボルを含む。
【００９７】
いくつかの実施形態では、第１決定ユニット３０２は以下の方法により、合意された規則にしたがって、アップリンク制御チャネルによって使用される後続のスケジューリングユニットを決定するように構成される：
【００９８】
後続のスケジューリングユニットはアップリンク制御チャネルを搬送することができるリソースを有し、後続のスケジューリングユニットによって搬送されるアップリンク制御チャネルおよび開始スケジューリングユニットによって搬送されるアップリンク制御チャネルは、同じＯＣＣ多重化能力を有する。
【００９９】
本開示の１実施形態では、合意された規則にしたがってアップリンク制御チャネルによって使用される後続のスケジューリングユニットを決定するように構成された第１決定ユニット３０２は、以下を含む：
【０１００】
アップリンク制御チャネルが周波数ホッピングを行う場合、後続のスケジューリングユニットはアップリンク制御チャネルを搬送することができるリソースを有し、後続のスケジューリングユニットにおけるアップリンク制御チャネルの各周波数ホッピングに対応する直交カバー符号多重化能力は、開始スケジューリングユニットにおけるアップリンク制御チャネルの各周波数ホッピングに対応する直交カバー符号多重化能力と同じであることを満たす。
【０１０１】
アップリンク制御チャネルが、決定されたスケジューリングユニットにおいて周波数ホッピングを実行しない場合、ＯＣＣ多重化能力が全体として計算されることに留意されたい。
【０１０２】
いくつかの実施形態では、第１決定ユニット３０２は以下の方法により、合意された規則にしたがって、アップリンク制御チャネルによって使用される後続のスケジューリングユニットを決定するように構成される：
【０１０３】
後続のスケジューリングユニットはアップリンク制御チャネルを搬送することができるリソースを有し、後続のスケジューリングユニットによって搬送されるアップリンク制御チャネルの符号化ビットのマザーコードの長さが、開始スケジューリングユニットによって搬送されるアップリンク制御チャネルの符号化ビットのマザーコードの長さと同じであることが満たされる。
【０１０４】
いくつかの実施形態では、後続のスケジューリングユニットのタイプは、アップリンクスケジューリングユニットおよびダウンリンクスケジューリングユニットのみを含む。
【０１０５】
いくつかの実施形態では、後続のスケジューリングユニットのタイプは、アップリンクスケジューリングユニットのみを含む。
【０１０６】
いくつかの実施形態では、スケジューリングユニットの各々においてアップリンク制御チャネルによって使用されるシンボル位置は、連続的である。
【０１０７】
いくつかの実施形態では、合意された規則にしたがってアップリンク制御チャネルによって使用される後続のスケジューリングユニットを決定するステップは、以下を含む：スケジューリングユニットが以下の条件を満たす場合、スケジューリングユニットが後続のスケジューリングユニットのうちの１つとして選択される：スケジューリングユニットは開始スケジューリングユニットにおいて送信されるアップリンク制御チャネルと同じ数のシンボルおよび同じシンボル位置を提供することが可能であり、シンボルはＮＲシステムにおいて使用され、アップリンク制御チャネルによって使用されることが可能であり、シンボルはアップリンクシンボルを含む。
【０１０８】
図４に示されるように、本開示はまた、以下を含むユーザ機器を開示する：
【０１０９】
ベースステーションからリソース構成シグナリングを受信するように構成された受信ユニット４０１であって、リソース構成シグナリングは、ユーザ機器のアップリンク制御チャネルによって占有されるスケジューリングユニットの数と、アップリンク制御チャネルによって使用される開始スケジューリングユニットと、開始スケジューリングユニット内のアップリンク制御チャネルの開始シンボル位置と、開始スケジューリングユニット内のアップリンク制御チャネルによって使用されるシンボルの数と、開始スケジューリングユニット内のアップリンク制御チャネルによって使用されるシンボルの数とを含む、受信ユニット４０１；
【０１１０】
リソース構成シグナリングおよび合意されたルールにしたがって、アップリンク制御チャネルによって使用される後続のスケジューリングユニットおよび／または後続のスケジューリングユニット内のアップリンク制御チャネルによって使用されるシンボルの位置を決定するように構成された第２決定ユニット４０２。
【０１１１】
いくつかの実施形態では、ベースステーションからスケジューリングユニットタイプ指示シグナリングを受信するようにベースステーションがユーザ機器を構成し、ユーザ機器がベースステーションからスケジューリングユニットタイプ指示シグナリングを正しく受信しない場合、スケジューリングユニットタイプ指示シグナリングはベースステーションがユーザ機器の後続のスケジューリングユニットのタイプを示すために使用され、第２決定ユニット４０２は以下のようにさらに構成される：
【０１１２】
後続のスケジューリングユニットを決定することをスキップし、開始スケジューリングユニットをアップリンク制御チャネルによって使用されるスケジューリングユニットとして決定することのみを実施する。
【０１１３】
ベースステーションが、ベースステーションからスケジューリングユニットタイプ指示シグナリングを受信するようにユーザ機器を構成しない場合、ユーザ機器はスケジューリングユニット指示シグナリングに示されるアップリンク制御チャネルによって使用される開始スケジューリングユニットにおいてのみ、アップリンク制御チャネルの制御情報を送信することに留意されたい。
【０１１４】
いくつかの実施形態では、ベースステーションからスケジューリングユニットタイプ指示シグナリングを受信するようにベースステーションがユーザ機器を構成しない場合、またはベースステーションがユーザ機器のためのスケジューリングユニットタイプ指示シグナリングを構成しない場合、第２決定ユニット４０２は、以下のように構成される：
【０１１５】
開始スケジューリングユニットから始まり、開始スケジューリングユニットを含む連続するｎ個のスケジューリングユニットを、アップリンク制御チャネルによって使用されるスケジューリングユニットとして決定する。ｎは、アップリンク制御チャネルによって占有されるスケジューリングユニットの数である。
【０１１６】
ベースステーションが、ベースステーションからスケジューリングユニットタイプ指示シグナリングを受信するようにユーザ機器を構成しない場合、ユーザ機器は、スケジューリングユニット指示シグナリングで示されるアップリンク制御チャネルによって使用される開始スケジューリングユニットから始まる連続するｎ個のスケジューリングユニットにおいて、アップリンク制御チャネルの制御情報を送信することに留意されたい。
【０１１７】
いくつかの実施形態では、第２決定ユニット４０２は以下の方法により、合意された規則にしたがってアップリンク制御チャネルによって使用される後続のスケジューリングユニットを決定するように構成される：
【０１１８】
後続のスケジューリングユニットはアップリンク制御チャネルを搬送することができるリソースを有し、アップリンク制御チャネルを搬送することができるシンボルの数は、開始スケジューリングユニットにおいてアップリンク制御チャネルによって使用されるシンボルの数以上である。シンボルは、ＮＲシステムにおいて使用され、アップリンク制御チャネルによって使用されることを許可され、シンボルはアップリンクシンボルを含む。
【０１１９】
本開示の１実施形態では、第２決定ユニット４０２は以下の方法により、合意された規則にしたがって、アップリンク制御チャネルによって使用される後続のスケジューリングユニットと、後続のスケジューリングユニットにおいてアップリンク制御チャネルによって使用されるシンボルの位置とを決定するように構成される：
【０１２０】
後続のスケジューリングユニットにおいてアップリンク制御チャネルを搬送するために使用されるシンボルのシンボル位置が、開始スケジューリングユニットにおいてアップリンク制御チャネルのために使用されるシンボルの位置と異なる場合、後続のスケジューリングユニットにおいてアップリンク制御チャネルを搬送するために使用されるアップリンクシンボルの開始シンボル位置は、アップリンク制御チャネルを搬送することができる第１アップリンクシンボルの位置である。シンボルは、ＮＲシステムにおいて使用され、アップリンク制御チャネルによって使用されることを許可され、シンボルはアップリンクシンボルを含む。
【０１２１】
いくつかの実施形態では、第２決定ユニット４０２は以下の方法により、合意された規則にしたがってアップリンク制御チャネルによって使用される後続のスケジューリングユニットを決定するように構成される：
【０１２２】
後続のスケジューリングユニットはアップリンク制御チャネルを搬送することができるリソースを有し、アップリンク制御チャネルを搬送することができるシンボルの数は開始スケジューリングユニットにおいてアップリンク制御チャネルによって使用されるシンボルの数以上であり、後続のスケジューリングユニットにおいてアップリンク制御チャネルを搬送するために使用されるアップリンクシンボルのシンボル位置は、開始スケジューリングユニットにおいてアップリンク制御チャネルに使用されるシンボルの位置と同じである。シンボルは、ＮＲシステムにおいて使用され、アップリンク制御チャネルによって使用されることを許可され、シンボルはアップリンクシンボルを含む。
【０１２３】
いくつかの実施形態では、第２決定ユニット４０２は以下の方法により、合意された規則にしたがってアップリンク制御チャネルによって使用される後続のスケジューリングユニットを決定するように構成される：
【０１２４】
後続のスケジューリングユニットはアップリンク制御チャネルを搬送することができるリソースを有し、後続のスケジューリングユニットによって搬送されるアップリンク制御チャネルおよび開始スケジューリングユニットによって搬送されるアップリンク制御チャネルは、同じＯＣＣ多重化能力を有する。
【０１２５】
本開示の１実施形態では、第２決定ユニット４０２は以下の方法により、合意された規則にしたがってアップリンク制御チャネルによって使用される後続のスケジューリングユニットを決定するように構成される：
【０１２６】
アップリンク制御チャネルが周波数ホッピングを行う場合、後続のスケジューリングユニットはアップリンク制御チャネルを搬送できるリソースを有し、後続のスケジューリングユニットにおけるアップリンク制御チャネルの各周波数ホッピングに対応する直交カバー符号多重化能力は、開始スケジューリングユニットにおけるアップリンク制御チャネルの各周波数ホッピングに対応する直交カバー符号多重化能力と同じであることを満たす。
【０１２７】
アップリンク制御チャネルが、決定されたスケジューリングユニットにおいて周波数ホッピングを実行しない場合、ＯＣＣ多重化能力が全体として計算されることに留意されたい。
【０１２８】
いくつかの実施形態では、第２決定ユニット４０２は以下の方法により、合意された規則にしたがってアップリンク制御チャネルによって使用される後続のスケジューリングユニットを決定するように構成される：
【０１２９】
後続のスケジューリングユニットはアップリンク制御チャネルを搬送することができるリソースを有し、後続のスケジューリングユニットによって搬送されるアップリンク制御チャネルの符号化ビットのマザーコードの長さが、開始スケジューリングユニットによって搬送されるアップリンク制御チャネルの符号化ビットのマザーコードの長さと同じであることが満たされる。
【０１３０】
いくつかの実施形態では、後続のスケジューリングユニットのタイプは、アップリンクスケジューリングユニットおよびダウンリンクスケジューリングユニットのみを含む。
【０１３１】
いくつかの実施形態では、後続のスケジューリングユニットのタイプは、アップリンクスケジューリングユニットのみを含む。
【０１３２】
いくつかの実施形態では、スケジューリングユニットの各々においてアップリンク制御チャネルによって使用されるシンボル位置は、連続的である。
【０１３３】
本開示はまた、さらなる例示のためにいくつかの好ましい実施形態を提供するが、好ましい実施形態は本開示のより良好な説明のためだけであり、本開示を過度に限定することを意図しないことに留意されたい。以下の実施形態の各々は独立して存在することができ、異なる実施形態における技術的特徴は、１つの実施形態において組み合わされ、使用されることができる。ＰＵＣＣＨは物理アップリンク制御チャネル（例えば、アップリンク制御エリアまたはアップリンク制御ともいう）に相当する。ＮＲ規格の定式化において、ＰＵＣＣＨは、ＮＲ-ＰＵＣＣＨのような他の略語として省略する場合があるが、その本来の意図は依然として物理アップリンク制御チャネルであり、含意は変更されておらず、したがって、アドレッシングは本明細書の方法の実装に影響を及ぼさない。
【０１３４】
この実施形態では、予約されたスケジューリングユニットおよび／または未知のスケジューリングユニットおよび／または開始スケジューリングユニットの後のランダムアクセスチャネル（ＲＡＣＨ）スケジューリングユニットを除いて、スケジューリングユニットはアップリンクスケジューリングユニットおよびダウンリンクスケジューリングユニットから選択される。ダウンリンクスケジューリングユニットはダウンリンク専用スケジューリングユニットおよびダウンリンク専有スケジューリングユニットを含み、アップリンクスケジューリングユニットは、アップリンク専用スケジューリングユニットおよびアップリンク専有スケジューリングユニットを含む。選択されたスケジューリングユニットがアップリンク専有スケジューリングユニットである場合、アップリンク専有スケジューリングユニットに含まれるシンボルの数は要件を満たすことが要求され、選択されたスケジューリングユニットがダウンリンク専有スケジューリングユニットである場合、ダウンリンク専有スケジューリングユニットに含まれるシンボルの数は要件を満たすことが要求される。シンボルは、ＮＲシステムにおいて使用され、アップリンク制御チャネルによって使用されることを許可され、シンボルはアップリンクシンボルを含む。
【０１３５】
規則にしたがって、ベースステーションおよびＵＥは、それぞれ、開始スケジューリングユニットから始まるＰＵＣＣＨによって使用されるスケジューリングユニットと、導出されたスケジューリングユニットにおけるＰＵＣＣＨのマッピングとを導出する。具体的には、予約されたスケジューリングユニットおよび／または未知のスケジューリングユニットおよび／または開始スケジューリングユニット後のＲＡＣＨスケジューリングユニットが除外され、スケジューリングユニットがアップリンクスケジューリングユニットおよびダウンリンクスケジューリングユニットから選択される。ダウンリンクスケジューリングユニットはダウンリンク専用スケジューリングユニットおよびダウンリンク専有スケジューリングユニットを含み、アップリンクスケジューリングユニットは、アップリンク専用スケジューリングユニットおよびアップリンク専有スケジューリングユニットを含む。選択されたスケジューリングユニットがアップリンク専有スケジューリングユニットである場合、アップリンク専有スケジューリングユニットに含まれるアップリンクシンボルの数は要件を満たす必要があり、選択されたスケジューリングユニットがダウンリンク専有スケジューリングユニットである場合、ダウンリンク専有スケジューリングユニットに含まれるダウンリンクシンボルの数は、要件を満たす必要がある。
【０１３６】
１つのキャリアにおいて、スロットｎは、ＰＵＣＣＨの開始スロットとして示される。ＰＵＣＣＨが３つのスロットにまたがるように構成され、ＰＵＣＣＨを搬送するために各スロットに４つのアップリンクＯＦＤＭシンボルがあると仮定すると、ＵＥは、ＰＵＣＣＨを搬送するためにスロットｎの後に別の２つのスロットを決定する必要がある。この実施形態では、ベースステーションおよびＵＥが以下の規則にしたがって残りのスロットを決定する。
【０１３７】
スロットｎ＋１が予約スロットである場合、ＵＥはＰＵＣＣＨを搬送する残りのスロットとしてそれを選択しない；スロットｎ＋２が未知スロットである場合、ＵＥはＰＵＣＣＨを搬送する残りのスロットとしてそれを選択しない；スロットｎ＋３がアップリンクスロットであり、スロットｎ＋３に含まれるアップリンクシンボルの数が例えば、４つの連続アップリンクシンボルである場合；スロットｎ＋４がダウンリンクスロットであり、スロットｎ＋４に含まれるアップリンクシンボルの数が要求を満たす場合、例えば、４つの連続アップリンクシンボルである場合、スロットｎ＋３とスロットｎ＋４は、ＰＵＣＣＨを搬送する後続スロットとして選択される。このように、ＵＥのＰＵＣＣＨを搬送するスロットは、スロットｎ、スロットｎ＋３およびスロットｎ＋４である。ここで、ベースステーションは、同じ規則にしたがって、ＰＵＣＣＨを受信するための後続のスロットも選択することに留意されたい。したがって、ベースステーションは、選択されたスロットにおいてＰＵＣＣＨを搬送するシンボルが他の目的のために使用されないことを保証しなければならない。
【０１３８】
ベースステーションはスロットにＯＦＤＭシンボル属性を含むスロットタイプを設定し、スロットタイプの設定情報を端末に通知する。したがって、ベースステーションおよびＵＥの両方がスロットタイプを知っており、ＵＥは、合意された規則（この規則はベースステーションが知っている場合もある）にしたがって、スロットｎ＋３およびスロットｎ＋４を、ＰＵＣＣＨを搬送する後続のスロットとして選択する。このようにして、ＵＥは、３つの選択されたスロット上で搬送されるＰＵＣＣＨをベースステーションに送信する。ベースステーションは合意された規則にしたがってＵＥによって選択された３つのスロット（実際には最初のスロットがベースステーションによって示されるので、後の２つのスロットのみ）を導出し、導出された３つのスロット上でＰＵＣＣＨを受信する。
【０１３９】
いくつかの特別な場合について、以下に２つの補足説明がある。
【０１４０】
補足１：
【０１４１】
ベースステーションがＵＥに対して、スロットタイプに関するシグナリングをＵＥが正しく受信しなかったことを通知する場合（現在のところ、ベースステーションは、物理層のダウンリンク制御情報（ＤＣＩ）を介してＵＥに対してスロットタイプを通知するか、または、上位層シグナリングを介してスロットタイプをＵＥに通知する）、ＵＥはスロットタイプを決定することができない。この場合、ＵＥはベースステーションが示すスロットｎ内のＰＵＣＣＨのみを送信することができ、ＵＥはスロットｎの後のスロットを決定しない。ベースステーションは、ＵＥが送信したＰＵＣＣＨをスロットｎで検出した後、ＵＥが選択した後続のスロットでＰＵＣＣＨの受信を試みた場合、ＵＥがＰＵＣＣＨの受信に失敗すると、ＵＥはスロットタイプ通知シグナリングを喪失したとみなす。
【０１４２】
補足２：
【０１４３】
ベースステーションがスロットタイプに関するシグナリングを受信するようにＵＥを構成しない場合（現在、ベースステーションは、スロットタイプに関する構成情報を受信するかどうかをＵＥに通知することができる）、ＰＵＣＣＨがＰＵＣＣＨを搬送するために複数（例えば、３）のスロットを必要とするように構成される場合、ベースステーションは開始スロットがスロットｎであることを通知し、次いで、ベースステーションはＰＵＣＣＨを搬送する要件を満たすために、スロットｎの後の連続する複数のスロットのスロットタイプ（ＰＵＣＣＨによって必要とされるスロットの数）においてＯＦＤＭシンボルを構成する必要がある。例えば、ベースステーションはＵＥのＰＵＣＣＨを３スロットにまたがるように構成し、ベースステーションは開始スロットをスロットｎに構成し、ベースステーションは、スロットｎ＋１およびスロットｎ＋２のタイプにおいて、ＵＥのＰＵＣＣＨを搬送するＯＦＤＭシンボルの数およびＯＦＤＭシンボルの位置を構成する必要がある（各スロットにおけるＰＵＣＣＨを搬送するＯＦＤＭの位置が同じである場合）。このように、ＵＥがＰＵＣＣＨが３つのスロットにまたがる必要があることを受信し、開始スロットがスロットｎである場合、ＵＥは、ＰＵＣＣＨを搬送するスロットが指示された開始スロットｎから始まり、後続のスロットｎ＋１及びスロットｎ＋２もＰＵＣＣＨを搬送するスロットであるとみなす。
【０１４４】
この実施形態では、ダウンリンクスケジューリングユニットおよび／または予約されたスケジューリングユニットおよび／または未知のスケジューリングユニットおよび／または開始スケジューリングユニットの後のＲＡＣＨスケジューリングユニットを除いて、スケジューリングユニットはアップリンクスケジューリングユニットから選択される。ダウンリンクスケジューリングユニットはダウンリンク専用スケジューリングユニットおよびダウンリンク専有スケジューリングユニットを含み、アップリンクスケジューリングユニットは、アップリンク専用スケジューリングユニットおよびアップリンク専有スケジューリングユニットを含む。選択されたスケジューリングユニットがアップリンク専有スケジューリングユニットである場合、アップリンク専有スケジューリングユニットに含まれるアップリンクシンボルの数は、要件を満たす必要がある。
【０１４５】
この規則によれば、ベースステーションおよびＵＥは、それぞれ、開始スケジューリングユニットから始まるＰＵＣＣＨによって使用されるスケジューリングユニットと、導出されたスケジューリングユニットにおけるＰＵＣＣＨのマッピングとを導出する。具体的には、開始スケジューリングユニットの後のダウンリンクスケジューリングユニットおよび／または予約スケジューリングユニットおよび／または未知スケジューリングユニットおよび／またはＲＡＣＨスケジューリングユニットが除外され、スケジューリングユニットがアップリンクスケジューリングユニットから選択される。ダウンリンクスケジューリングユニットはダウンリンク専用スケジューリングユニットおよびダウンリンク専有スケジューリングユニットを含み、アップリンクスケジューリングユニットは、アップリンク専用スケジューリングユニットおよびアップリンク専有スケジューリングユニットを含む。選択されたスケジューリングユニットがアップリンク専有スケジューリングユニットである場合、アップリンク専有スケジューリングユニットに含まれるアップリンクシンボルの数は、要件を満たす必要がある。
【０１４６】
本実施の形態では、上記実施の形態に対して、ＰＵＣＣＨが必要とする複数のスケジューリングユニットについてのみ、ＰＵＣＣＨを搬送するスケジューリングユニットとしてダウンリンクスケジューリングユニットを使用せず、アップリンクスケジューリングユニットの中からＰＵＣＣＨを搬送するスケジューリングユニットのみを選択してもよい。
【０１４７】
具体的な選択は前述の実施形態を参照することができ、ここでは繰り返し説明しない。
【０１４８】
本実施形態では、スケジューリングユニットが選択されると、ＰＵＣＣＨが複数のスロットにまたがる場合、複数のスロットにおけるＰＵＣＣＨのシンボル数とシンボル位置は同一であることが要求される。スケジューリングユニットが要件を満たすシンボルの数およびシンボル位置を有する場合、スケジューリングユニットは、複数のスロットにわたるＰＵＣＣＨのための後続スロットと見なされる。
【０１４９】
規則によれば、ベースステーションおよびＵＥは、それぞれ、開始スケジューリングユニットから始まるＰＵＣＣＨによって使用されるスケジューリングユニットと、導出されたスケジューリングユニットにおけるＰＵＣＣＨのマッピングとを導出する。具体的にはＰＵＣＣＨが複数のスロットにまたがっており、複数のスロット内のＰＵＣＣＨに含まれるシンボル数およびシンボル位置が同じであることが要求され、スケジューリングユニットが要件を満たすシンボル数及びシンボル位置を有する場合、スケジューリングユニットは複数のスロットにまたがるＰＵＣＣＨのスロットとみなされる。スロットのタイプはここでは区別されず、スロットにおいて利用可能なアップリンクＯＦＤＭシンボルの数およびシンボル位置があるかどうかのみが必要とされる。すなわち、スロットのタイプがどのようなものであっても、スロットは前述のシンボルの数およびシンボル位置が満たされる限り、スロットにまたがるＰＵＣＣＨを搬送する後続のスロットとして使用され得る。
【０１５０】
１つのキャリアにおいて、スロットｎは、ＰＵＣＣＨの開始スロットとして示される。ＰＵＣＣＨが３つのスロットにまたがるように構成され、ＰＵＣＣＨを搬送するために各スロットに４つのアップリンクＯＦＤＭシンボルがあると仮定すると（例えば、シンボルのシリアル番号が０から始まり、スロットが１４個のシンボルを含み、４つのアップリンクＯＦＤＭシンボルがスロット内のシンボル３〜６である場合）、ＵＥは、ＰＵＣＣＨを搬送するためにスロットｎの後に別の２つのスロットを決定する必要がある。この実施形態では、ベースステーションおよびＵＥが以下の規則にしたがって残りのスロットを決定する。
【０１５１】
スロットｎ＋１が予約スロットである場合、スロットが要求を満たすＯＦＤＭシンボルの数およびＯＦＤＭシンボル位置を有する限り、スロットが選択されてもよい。スロットｎ＋１が要件を満たすＯＦＤＭシンボルの数およびＯＦＤＭシンボル位置を有さないと仮定すると（これらのシンボルはＮＲのために使用され、ＰＵＣＣＨによって使用されることが許可され、これらのスロットは他の使用のために予約されている場合にはスキップされる）、ＵＥはＰＵＣＣＨを搬送するための残りのスロットとしてスロットｎ＋１を選択しない。スロットｎ＋２が未知のスロットである場合、スロットｎ＋２がＰＵＣＣＨを搬送するために後続のスロットとして選択され得るかどうかをＵＥが決定する基準は、依然としてシンボルの数およびシンボル位置である。スロットｎ＋２は、必要な数のＯＦＤＭシンボル番号および必要なシンボル位置を有さないと仮定し、スロットｎ＋３およびスロットｎ＋４の両方が必要な数のシンボルおよび必要なシンボル位置を有する場合、スロットｎ＋３およびスロットｎ＋４のタイプにかかわらず、スロットｎ＋３およびスロットｎ＋４がＰＵＣＣＨを搬送する後続のスロットとして選択される。したがって、スロット内に必要なシンボル位置だけでなく必要な数のシンボルがあるかどうかに応じて、スロットｎ＋３およびスロットｎ＋４が後続のスロットとして選択され、ＰＵＣＣＨが搬送される。このようにして、ＵＥのＰＵＣＣＨを搬送するスロットはスロットｎ、スロットｎ＋３、およびスロットｎ＋４であり、スロットｎはシグナリングを通じてベースステーションによって示され、スロットｎ＋３およびスロットｎ＋４は合意された規則にしたがってベースステーションおよびＵＥによって選択される。
【０１５２】
ここで、ベースステーションは同じ規則にしたがってＰＵＣＣＨを受信する後続のスロットも選択し、したがって、ベースステーションは、選択されたスロットにおいてＰＵＣＣＨを搬送するシンボルが他の目的のために使用されないことを保証することに留意されたい。
【０１５３】
ベースステーションはスロットにＯＦＤＭシンボル属性を含むスロットタイプを設定し、スロットタイプの設定情報を端末に通知する。したがって、ベースステーションおよびＵＥの両方がスロットタイプを知っており、ＵＥは、ベースステーションが知っている場合もある合意された規則にしたがって、スロットｎ＋３およびスロットｎ＋４を、ＰＵＣＣＨを搬送する後続のスロットとして選択する。このようにして、ＵＥはＰＵＣＣＨを搬送する３つの選択されたスロットを使用し、それらをベースステーションに送る。ベースステーションは合意された規則にしたがって、ＵＥによって選択された３つのスロット（実際には最初のスロットがベースステーションによって示されるので、後者の２つのスロットのみ）を導出し、そこからＰＵＣＣＨを受信する。ＰＵＣＣＨによってスパンされるべき複数のスロットについて、開始スロットの後のスロットにおいて要件を満たすアップリンクＯＦＤＭシンボルの数および／またはシンボル位置がある場合、ベースステーションは、これらのスロットにおけるアップリンクＯＦＤＭシンボルがＰＵＣＣＨによって使用されることができることを保証しなければならない。具体的にはベースステーションが後続のスロットを決定するための規則を知っており、したがって、ベースステーションはＰＵＣＣＨを搬送すると決定されるスロット内のアップリンクＯＦＤＭシンボルが他のチャネル／データによって使用されないことを保証する。
【０１５４】
本実施形態では、スケジューリングユニットが選択された場合、ＰＵＣＣＨが複数のスロットにまたがり、複数のスロット内のＰＵＣＣＨに含まれるシンボルの数が同じであることが要求され、スケジューリングユニットが要件を満たすシンボルの数を有する場合、スケジューリングユニットは複数のスロットにまたがるＰＵＣＣＨのスロットと見なされ、スロット内のＰＵＣＣＨのマッピングの開始シンボル位置が調整される。
【０１５５】
規則によれば、ベースステーションおよびＵＥは、それぞれ、開始スケジューリングユニットから始まるＰＵＣＣＨによって使用されるスケジューリングユニットと、導出されたスケジューリングユニットにおけるＰＵＣＣＨのマッピングとを導出する。具体的には、ＰＵＣＣＨが複数のスロットにまたがり、複数のスロット内のＰＵＣＣＨに含まれるシンボルの数が同じであることが要求され、スケジューリングユニットが要件を満たすシンボルの数を有する場合、スケジューリングユニットは複数のスロットにまたがるＰＵＣＣＨのためのスロットと見なされ、スロット内のＰＵＣＣＨのマッピングの開始シンボル位置が調整される。スロットのタイプはここでは区別されず、スロットにおいて利用可能なアップリンクＯＦＤＭシンボルの数があるか否かのみが必要とされる（シンボル位置は必要とされない）。すなわち、スロットのどのタイプがスロットであるかにかかわらず、前述のシンボルの数が満たされる限り、スロットにわたるＰＵＣＣＨを搬送する後続のスロットとして使用されてもよい。
【０１５６】
１つのキャリアにおいて、スロットｎがＰＵＣＣＨの開始スロットとして示され、ＰＵＣＣＨが３つのスロットにまたがるように構成され、ＰＵＣＣＨを搬送するために各スロットに４つのアップリンクＯＦＤＭシンボルがあると仮定すると、ＵＥは、ＰＵＣＣＨを搬送するためにスロットｎの後に別の２つのスロットを決定する必要がある。この実施形態では、ベースステーションおよびＵＥが以下の規則にしたがって残りのスロットを決定する。
【０１５７】
スロットｎ＋１が予約スロットである場合、スロットが要件を満たすＯＦＤＭシンボルの数を有する限り、スロットが選択されてもよい。スロットｎ＋１が要件を満たすＯＦＤＭシンボルの数を有していない（これらのシンボルはＮＲのために使用され、ＰＵＣＣＨによって使用されることが許可され、これらのスロットは他の使用のために予約されている場合にはスキップされる）と仮定すると、ＵＥはＰＵＣＣＨを搬送するための残りのスロットとしてスロットｎ＋１を選択しない。スロットｎ＋２が未知のスロットである場合、スロットｎ＋２がＰＵＣＣＨを搬送するための後続スロットとして選択され得るか否かをＵＥが決定する基準は、依然としてシンボルの数である。スロットｎ＋２は要件を満たすＯＦＤＭシンボルの数を有しておらず、スロットｎ＋３およびスロットｎ＋４の両方が要件を満たすシンボルの数を有する場合、スロットｎ＋３およびスロットｎ＋４のタイプにかかわらず、スロットｎ＋３およびスロットｎ＋４がＰＵＣＣＨを搬送する後続のスロットとして選択される。いくつかの実施形態では、スロットｎ＋３内の必要な数のＯＦＤＭシンボルに対応するシンボル位置が、スロットｎ内のＰＵＣＣＨによって使用されるシンボル位置と同じである場合、スロットｎと同じシンボル位置がＰＵＣＣＨを搬送するためにスロットｎ＋３内で使用される。スロットｎ＋４に必要な数のＯＦＤＭシンボルがあるが、スロットｎ＋４に必要な数のＯＦＤＭシンボルに対応するシンボル位置が、スロットｎにＰＵＣＣＨを搬送するシンボルの位置と異なる場合。ここではスロットｎ内のＰＵＣＣＨを搬送するシンボルの数がシンボル３〜６の４個（スロット内のシンボルの連番が０から始まる場合）であり、スロットｎ＋３内のＰＵＣＣＨを搬送するシンボルの選択位置はスロットｎと同じであるものとする。スロットｎ＋４においてＰＵＣＣＨを搬送するシンボルの数も４であると仮定すると、４〜１４のシンボル位置を有する１０個のアップリンクシンボルが存在し、この場合、ＰＵＣＣＨを搬送するシンボルは、スロットｎ＋４における最初のアップリンクシンボル、すなわちシンボル４〜７から始まる連続する４つのシンボルに調整される。つまり、スロットｎ＋４にＰＵＣＣＨを搬送する選択されたシンボルのシリアル番号は４〜７である。明らかに、スロットｎ＋４におけるＰＵＣＣＨを搬送するシンボルの位置は調整され、スロットｎおよびスロットｎ＋３におけるシンボル位置とは異なる。この実施形態では調整されたシンボル位置がスロット内の第１アップリンクシンボルから開始する（またはＵＥがスロットについて知っている）ことが暗示され、調整された規則はベースステーションおよびＵＥによっても事前に合意されなければならない。
【０１５８】
したがって、スロットに要件を満たすシンボルの数があるかどうかに応じて、スロットｎ＋３およびスロットｎ＋４が、ＰＵＣＣＨを搬送するための後続のスロットとして選択され、スロットｎ＋４におけるＰＵＣＣＨを搬送するシンボルの位置が調整される。このようにして、ＵＥのＰＵＣＣＨを搬送するスロットはスロットｎ、スロットｎ＋３、およびスロットｎ＋４であり、スロットｎはシグナリングを通じてベースステーションによって示され、スロットｎ＋３およびスロットｎ＋４は合意された規則にしたがってベースステーションおよびＵＥによって選択される。
【０１５９】
ここで、ベースステーションは、同じ規則にしたがって、ＰＵＣＣＨを受信する後続のスロットと、スロット内のＰＵＣＣＨを搬送するシンボルの位置とを選択し、したがって、ベースステーションは、選択されたスロット内のＰＵＣＣＨを搬送するシンボルが他の目的のために使用されないことを保証することに留意されたい。
【０１６０】
ベースステーションは、スロットのＯＦＤＭシンボル属性（アップリンクシンボル、ダウンリンクシンボル、予約シンボル、［［ＧＡＰ］］ＧＰシンボルなど）を含むスロットタイプを設定し、スロットタイプの設定情報をＵＥに通知する。したがって、ベースステーションおよびＵＥの両方がスロットタイプを知っており、ＵＥは合意された規則にしたがって、ＰＵＣＣＨを搬送する後続のスロットとしてスロットｎ＋３およびスロットｎ＋４を選択し、スロットｎ＋４においてＰＵＣＣＨを搬送する開始シンボルも調整され、ベースステーションは、シンボル位置を調整する合意された規則にしたがって知ることもできる。このようにして、ＵＥは、３つの選択されたスロット上で搬送されるＰＵＣＣＨをベースステーションに送信する。ベースステーションは合意された規則にしたがって、ＵＥによって選択された３つのスロット（実際には最初のスロットがベースステーションによって示されるので、後者の２つのスロットのみ）を導出し、そこからＰＵＣＣＨを受信する。ＰＵＣＣＨによってスパンされるべき複数のスロットについて、開始スロットの後のスロットにおいて要件を満たすアップリンクＯＦＤＭシンボルの数および／またはシンボル位置がある場合、ベースステーションは、これらのスロットにおけるアップリンクＯＦＤＭシンボルがＰＵＣＣＨによって使用されることができることを保証しなければならない。具体的にはベースステーションが後続のスロットを決定するための規則を知っており、したがって、ベースステーションはＰＵＣＣＨを搬送すると決定されるスロット内のアップリンクＯＦＤＭシンボルが他のチャネル／データによって使用されないことを保証する。
【０１６１】
前述の実施形態の記載された方法において、実施形態は、矛盾することなく組み合わせて使用されてもよい。
【０１６２】
例えば、前述の２つの実施形態の技術的特徴は、ＵＥが後続のスロットを選択し、予約されたスロットおよび未知のスロットがそれらのスロットタイプにしたがって最初に除外され、開始スロットの後のダウンリンクまたはアップリンクスロットが選択され、ダウンリンクスロットまたはアップリンクスロットに含まれるアップリンクシンボルの数およびシンボルの位置が、ＰＵＣＣＨの開始スロットにおけるＰＵＣＣＨを搬送するシンボルの数およびシンボルの位置と同じである限り、組み合わせられる。完全な説明のために、上述の対応する実施形態を参照することができる。
【０１６３】
例えば、上記２つの実施形態の技術的特徴は、ＵＥが後続のスロットを選択し、予約されたスロット、未知のスロット、およびダウンリンクスロットがそれらのスロットタイプにしたがって除外され、通知された開始スロットの後のアップリンクスロットが選択され、アップリンクスロットに含まれるアップリンクシンボルの数およびシンボル位置が、ＰＵＣＣＨの開始スロットにおけるＰＵＣＣＨを搬送するシンボルの数およびシンボル位置と同じである限り、組み合わせられる。スロット内のアップリンクシンボル位置が開始スロット内のＰＵＣＣＨのシンボル位置と異なる場合、スロット内のＰＵＣＣＨのシンボル位置は、合意された規則にしたがって調整される。完全な説明のために、上述の対応する実施形態を参照することができる。
【０１６４】
例えば、上記２つの実施形態の技術的特徴は、ＵＥが後続のスロットを選択し、予約されたスロットおよび未知のスロットがれらのスロットタイプにしたがって除外され、通知された開始スロットの後のアップリンクスロットが選択され、アップリンクスロットに含まれるアップリンクシンボルの数がＰＵＣＣＨの開始スロットにおけるＰＵＣＣＨを搬送するシンボルの数と同じである限り、組み合わせられる。ダウンリンクまたはアップリンクスロットにおけるアップリンクシンボル位置が開始スロットにおけるＰＵＣＣＨのシンボル位置と異なる場合、ダウンリンクまたはアップリンクスロットにおけるＰＵＣＣＨのシンボル位置は、合意された規則にしたがって調整される。完全な説明のために、上述の対応する実施形態を参照することができる。
【０１６５】
例えば、前述の２つの実施形態の技術的特徴は、ＵＥが後続のスロットを選択し、予約されたスロット、未知のスロット、およびダウンリンクスロットがそれらのスロットタイプにしたがって最初に除外され、示された開始スロットの後のアップリンクスロットが選択され、アップリンクスロットに含まれるアップリンクシンボルの数およびシンボルの位置がＰＵＣＣＨの開始スロットにおけるＰＵＣＣＨを搬送するシンボルの数およびシンボルの位置と同じである限り、組み合わせられる。完全な説明のために、上述の対応する実施形態を参照することができる。
【０１６６】
この実施形態はまた、ＰＵＣＣＨが複数のスロットにわたるときに、後続のスロットを決定するためにどの方法を使用するかを、ベースステーションがＵＥに示すことを含む。例えば、実施形態における方法は１つのシステムによってサポートされ、ベースステーションはシグナリング（上位レイヤシグナリングまたは物理レイヤシグナリングまたは媒体アクセス制御（ＭＡＣ）レイヤシグナリングを含む）を介して、ＰＵＣＣＨによってスパンされるスロットを決定するためにどの特定の方法が使用されるかをＵＥに通知することができる。上位レイヤシグナリングは、ブロードキャストＲＲＣメッセージまたはＵＥ専用無線リソース制御（ＲＲＣ）メッセージであってもよい。物理層シグナリングは、パブリックＤＣＩまたはＵＥ固有ＤＣＩとすることができるＤＣＩによって中断することができる。ＭＡＣ層シグナリングは、ＭＡＣ層の制御ユニットであってもよい。この指示は、システムのロバスト性を高めることができる。
【０１６７】
本実施形態は前述の実施形態とは異なり、１つのＰＵＣＣＨが複数のスロットにまたがる場合において、ＰＵＣＣＨが各スロットにおいて異なる数のＯＦＤＭシンボルを有することを許可されている場合、複数のスロットのうちの各スロットにおけるＰＵＣＣＨのシンボル数を具体的にどのように決定するかという問題を解決する。
【０１６８】
ＰＵＣＣＨ  （１ビットまたは２ビットのＵＣＩに対応するＰＵＣＣＨ）が複数のスロットにまたがる場合、以下の要件が満たされていれば、後続のスロットが選択されてもよい：ＰＵＣＣＨが搬送される場合、ＰＵＣＣＨのＯＣＣ多重化能力は、開始スロットにおいて搬送されるＰＵＣＣＨの多重化能力と同じであることが要求される。ＰＵＣＣＨがスロットで周波数ホッピングを行う場合、各周波数ホッピングのＯＣＣ多重化能力を別々に計算し、ＰＵＣＣＨがスロットで周波数ホッピングを行わない場合、ＯＣＣ多重化能力を全体として計算する。
【０１６９】
ＰＵＣＣＨは、伝送されるビット数によって異なるフォーマットを有することができ、含まれるシンボル数は４より多い。例えば、１ビットまたは２ビットの情報を伝送するために設定されたＰＵＣＣＨ伝送フォーマットは時間領域でＯＣＣ多重モードであり、フォーマット１として示される；３ビット以上Ｘビット未満を伝送するために設定されたＰＵＣＣＨ伝送フォーマットは周波数-時間ＯＣＣ多重モードであり、Ｘビット以上を伝送するために設定されたＰＵＣＣＨ伝送フォーマットは、多重化をサポートしない。
【０１７０】
前述のＰＵＣＣＨフォーマットが複数のスロットにわたって送信される場合、以下では、複数のスロット間でＰＵＣＣＨを搬送するために使用されるシンボルの数が異なる場合について説明する。たとえば、ＰＵＣＣＨは３つのスロットにまたがる必要があるが、３つのスロットのＰＵＣＣＨで使用可能なアップリンクシンボルの数は正確に等しいわけではない。複数のスロットにおいてＰＵＣＣＨを搬送するシンボルの数が等しくない場合に対処する必要がある。たとえば、最初のスロットと２番目のスロットにはＰＵＣＣＨ用のシンボルが１つしかなく、３番目のスロットには８つのシンボルがある。このように、複数のスロットにわたるＰＵＣＣＨ構造は明らかに最適ではない。したがって、複数のスロットにおいてＰＵＣＣＨを搬送するシンボルの数が等しくない場合には、各スロットにおいて最適な異なる数のシンボルを設計する必要がある。１つの方法を以下に記載する。
【０１７１】
一般に、複数のスロットにまたがるＰＵＣＣＨの場合、ベースステーションはＰＵＣＣＨの開始スロットを示し、開始スロットに開始シンボルと長さ（シンボル数）とスロット数を設定する。後続のスロットを決定し、選択される後続のスロットの特性を決定する必要がある。１つの方法は、前述のＰＵＣＣＨフォーマット１（ＰＵＣＣＨフォーマット１、または既存のＮＲにおいて１ビットまたは２ビットを搬送するＰＵＣＣＨの構造を参照）について、複数のスロットにまたがる場合、スロット間のＰＵＣＣＨを搬送するシンボルの数の差分値がＯＣＣ多重化能力によって制限されることである。後続のスロットの選択のためにおける基本原理は、ＰＵＣＣＨを搬送する後続のスロットがあるとき、ＰＵＣＣＨが、開始スロット内で搬送されるＰＵＣＣＨと同じスロット内のＯＣＣ多重化能力を有する場合、スロットを選択することができることである。ＰＵＣＣＨがスロット内で周波数ホッピングを実行する場合、後続のスロットの選択のためにおける基本原理は、ＰＵＣＣＨを搬送する後続のスロットがあるときに、ＰＵＣＣＨが開始スロット内で搬送されるＰＵＣＣＨの各周波数ホッピングと同じＯＣＣ多重化能力をスロット内に有する場合において、スロットを選択することができるように、わずかに変更される。
【０１７２】
本開示の１実施形態では、ベースステーションがＵＥのための複数のスロットにわたるＰＵＣＣＨを構成し、開始スロット、開始スロット内のＰＵＣＣＨのための開始シンボルおよびシンボルの数、ＰＵＣＣＨがわたる必要があるスロットの数、ならびに周波数ホッピングが実行されるかどうかについての情報をＵＥに通知する。次いで、ベースステーションおよびＵＥは、前述の原理にしたがって、ＰＵＣＣＨによって使用される後続のスロットを決定することに同意する。ＵＥは選択されたスロット上でＰＵＣＣＨを送信し続け、ベースステーションはスロット上でＰＵＣＣＨを受信し続ける。ベースステーションはＵＥのＰＵＣＣＨを２スロットにまたがるように構成し、開始スロットはスロットｎであり、ＰＵＣＣＨは開始シンボルがシンボル３（シリアル番号は０から始まる）である開始スロットにおいて７シンボルを使用し、周波数ホッピングは実行されず、ＰＵＣＣＨについては、その後、もう１スロットが必要であると仮定する。ここで、スロットｎ＋１にアップリンクシンボルがないと仮定すると、スロットｎ＋１は選択されず、スロットｎ＋２は、使用され得る６つのアップリンクシンボルを有する。表１から、ＰＵＣＣＨが周波数ホッピングを行わず、シンボル数が６または７である場合、ＯＣＣ多重化能力は６シンボルおよび７シンボルについて同じであり、したがって、スロットｎ＋２は、この時点でＰＵＣＣＨを搬送するように選択され得ることが分かる。したがって、ＰＵＣＣＨが使用するスロットはスロットｎとスロットｎ＋２である。
【０１７３】
いくつかの実施形態では、後続スロットの選択の原理は、以下のようにすることもできる：ＰＵＣＣＨが送信されるとき、スロットで使用されるシンボルの開始位置が同じであるかどうかは同じである。たとえば、厳密な条件が設定されている場合、複数スロットのＰＵＣＣＨの開始シンボルも同じである必要がある。別の例では、厳密な条件が設定される場合、ＯＣＣ多重化能力が同じである限り、複数のスロットにおけるＰＵＣＣＨの開始シンボルは同じである必要はないが、スロットにおけるＰＵＣＣＨの開始シンボルの位置は例えば、スロットにおける最初の利用可能なアップリンクシンボルであることが合意されるべきである。
【０１７４】
複数のスロットにまたがるように構成されたＰＵＣＣＨの後続スロットを選択するために、選択された後続スロットにおけるＰＵＣＣＨのＯＣＣ多重化能力は、開始スロットにおけるＰＵＣＣＨのＯＣＣ多重化能力と同じである。この場合、後に選択されるスロットにおいてＰＵＣＣＨに使用されるシンボルの数は、開始スロットにおいてＰＵＣＣＨに使用されるシンボルの数と等しくなくてもよい。すなわち、複数のスロットにおいてＰＵＣＣＨを搬送するために使用されるシンボルの数は互いに等しくなくてもよい（それらは等しくてもよい）。選択されたスロット内のＰＵＣＣＨを搬送するシンボルの位置も調整されることが可能であり、調整規則が合意されることが可能である。このようにして、ＵＥが選択するためのより多くのスロットが存在することになる。
【表１】
2021502765.tif 000003
【０１７５】
本開示の別の実施形態では、ＰＵＣＣＨが合意された原理で周波数ホッピングをサポートする。この場合、後続スロットが選択されると、スロットは以下を満たす必要がある：ＰＵＣＣＨがスロット内で搬送され、周波数ホッピングを行う場合、第１周波数ホッピングのＯＣＣ多重化能力は開始スロット内のＰＵＣＣＨの第１周波数ホッピングのＯＣＣ多重化能力と同じであり、第２周波数ホッピングのＯＣＣ多重化能力は、開始スロット内のＰＵＣＣＨの第２周波数ホッピングのＯＣＣ多重化能力と同じである。このようにして、スロットを選択することができる。より厳密な条件が設定されている場合、スロットにＰＵＣＣＨを搬送する開始シンボルが、開始スロットにＰＵＣＣＨを搬送する開始シンボルと同じであることが必要になる場合がある。
【０１７６】
この実施形態では、スケジューリングユニットが選択されるとき、（３ビットより大きいＵＣＩに対応するＰＵＣＣＨについて）ＰＵＣＣＨは複数のスロットにまたがり、以下要件が満たされる場合、後続のスロットが選択され得る：ＰＵＣＣＨが搬送される場合、スロット内で搬送されるＰＵＣＣＨのマザーコードの長さは開始スロット内のＰＵＣＣＨのマザーコードの長さと同じであることが要求される（周波数領域リソースが開始スロットと同じである）。
【０１７７】
２ビットを超える情報を搬送するＰＵＣＣＨの場合、時間領域におけるＯＣＣ多重化はサポートされないので、ＰＵＣＣＨが複数のスロットにまたがる場合、後続のスロットを選択する原理は異なる。ＰＵＣＣＨが複数のスロットにまたがる場合、後続のスロット選択は以下の条件を満たす：ＰＵＣＣＨがスロット内で搬送される場合、スロット内のＰＵＣＣＨを搬送するために使用されるリソース（時間領域および周波数領域を含み、時間領域はシンボルであり、周波数領域はPRBである）によって搬送されるＰＵＣＣＨの符号化ビットのマザーコードの長さは、開始スロット内のＰＵＣＣＨの符号化ビットのマザーコードの長さと同じであり、この場合、スロットが選択される。
【０１７８】
厳しい条件がさらに設定されている場合には、周波数領域リソースの数を増加させることができない（すなわち、スロット内のＰＵＣＣＨに使用される周波数領域リソースは開始スロット内のＰＵＣＣＨに使用される周波数領域と同じサイズである）ことが要求されてもよい。また、スロット内のＰＵＣＣＨの開始シンボルが、開始スロット内の開始シンボルと同じであることが必要な場合もある。また、スロット内で搬送されるＰＵＣＣＨの符号化ビットの符号化レートが、ある閾値を超えることが要求される場合がある。符号化されたビットは同じマザーコードからのものであるが、符号レートが大きすぎる場合、復号性能は低下し、したがって、復号性能を保証するために妥当な符号レート閾値が設定される。符号化率の閾値はシミュレーションを通じて取得されてもよいし、ＰＵＣＣＨに許容される符号化率から符号化率のある値が選択されてもよい。ここで、前述の条件のうちの１つ以上が、組み合わせて、または単独で使用され得ることが強調されるべきである。
【０１７９】
本開示で提供されるアップリンク制御チャネルのためのスケジューリングユニットの方法、ベースステーション、およびユーザ機器によれば、ユーザ機器のアップリンク制御チャネルによって使用されるスケジューリングユニットは合意された規則にしたがって決定され、開始スロットが解決された後に、複数のスロットにわたるＰＵＣＣＨを搬送するためにどのスロットが選択されるかを決定する方法についての問題が解決される。本開示は追加のシグナリング通知を必要とせずに、合意された規則を使用してスロットを決定することができる、様々な解決策を提供する。
【０１８０】
本出願では、様々な実施形態における技術的特徴が矛盾することなく１実施形態において組み合わせることができる。各実施形態は、本出願の最適な実施形態に過ぎず、本出願の保護範囲を限定することを意図するものではない。
【０１８１】
この実施形態によって提供される技術的問題は、ＵＥがＵＥの最大処理能力にしたがってデータを送信するときに、変調解除基準信号（ＤＭＲＳ）及びデータの多重化モードを決定する方法である。多重化モードは、時分割多重化（ＴＤＭ）または周波数分割多重化（ＦＤＭ）である。ここでのＵＥの最大処理能力は、ＵＥが、ベースステーションによってアップリンクデータ（データに必要なＤＭＲＳを含む）をスケジュールするために送信された物理ダウンリンク制御チャネル（ＰＤＣＣＨ）を受信し、ＰＤＣＣＨをデコードし、アップリンクデータが送信されるまでＰＤＣＣＨスケジューリング情報にしたがってアップリンクデータを準備するために必要な最小の継続時間を指し、ここではＮ２と表される。ＵＥ処理能力が強いほど、Ｎ２の値は小さくなる。一般に、ＵＥの能力値Ｎ２は、ベースステーションに報告される。
【０１８２】
実際には、データが送信されるときに、アップリンクとダウンリンクとの間に時間オフセットが存在するので、ベースステーションはデータが送信されるときに、ユーザによって事前に時間単位のために、ＴＡ値をユーザに対して構成する。したがって、ユーザデータをスケジューリングするＰＤＣＣＨの最後のシンボルから、ユーザが実際にＰＵＳＣＨを送信する可能性がある最初のデータシンボルまでの最小間隔は、Ｎ２とＴＡの両方に関係する。ＰＤＣＣＨの最後のシンボルからＰＵＣＣＨの最初のデータシンボルまでのシンボルの最小数はＫ２として示されてもよく、すなわち、Ｋ２は、ＵＥ、Ｎ２、およびＴＡの能力に関連する。たとえば、ＰＤＣＣＨの最後のシンボルがシンボルｎ上にあり、ＰＤＣＣＨによってユーザにスケジュールされたＰＵＣＣＨがシンボルｎ＋Ｋ２またはｎ＋Ｋ２から開始する場合、ＵＥはｎ＋Ｋ２からデータ送信を開始する機能を備えている。ユーザの複雑さを低減するために、または、ユーザがデータ送信の準備をするためにより多くの時間を残すために、ＤＭＲＳのみがデフォルトでＰＵＣＣＨの第１シンボル上で送信されてもよく、データは送信されない。ＤＭＲＳは、予め用意されているので、ユーザはＰＵＣＣＨでのデータの送信に備えるために、もう１つのシンボルの時間を有する。
【０１８３】
しかしながら、デフォルトの方法は、多くのオーバーヘッドをもたらす。ＤＭＲＳとデータは常にＴＤＭですなわち同時に送信されないと考えられるので、ＤＭＲＳが最初のシンボルのすべてのサブキャリアを占有していなくても、これらの空きサブキャリアはデータ送信に使用することができない。
【０１８４】
ＤＭＲＳポートの多重化モードを制限する方法を提供する。ＰＵＣＣＨの最初のシンボルがＰＤＣＣＨの最後のシンボルの後の（Ｋ２＋Ｘ）番目のシンボルの後であるようにベースステーションが動的に構成する場合、ＤＭＲＳの多重化モードおよびＰＵＣＣＨのデータは、ＦＤＭおよびＴＤＭを含む。本明細書で説明されるＰＵＣＣＨおよびＤＭＲＳの多重化モードは、第１ＤＭＲＳシンボルまたは最初の２つの連続するＤＭＲＳシンボルとＰＵＣＣＨとの間の多重化モードを指す。
【０１８５】
ＰＵＣＣＨの最初のシンボルが対応するＰＤＣＣＨの最後のシンボルの後の（Ｋ２＋Ｘ）番目のシンボル上にあるようにベースステーションが動的に構成する場合、ＤＭＲＳの多重化モードおよびＰＵＣＣＨのデータは、ＴＤＭのみを含む。
【０１８６】
オプションとして、ＰＵＣＣＨの最初のシンボルが対応するＰＤＣＣＨの最後のシンボルの後の（Ｋ２＋Ｘ）番目のシンボル上または前にあり、ＰＤＣＣＨの最後のシンボルの後のＫ２番目のシンボルに先行しないように、ベースステーションが動的に構成する場合、ＤＭＲＳの多重化モードおよびＰＵＣＣＨのデータは、ＴＤＭのみを含む。
【０１８７】
ＰＵＣＣＨの最初のシンボルが対応するＰＤＣＣＨの最後のシンボルの後の（Ｋ２＋Ｘ）番目のシンボルの前であるようにベースステーションが動的に構成する場合、明らかに、ユーザは、データ送信の準備のための十分な時間を持たず、この場合、ユーザはデータを送信しない。
【０１８８】
Ｋ２は、ユーザの能力Ｎ２に基づいて計算される。
【０１８９】
ＰＤＣＣＨの最後のシンボルがスロットのシンボルｎ上にあると仮定すると、Ｋ２がユーザの能力Ｎ２にしたがって計算された後、ベースステーションは一般に、ユーザのＰＵＣＣＨの最初のシンボルがシンボルｎ＋Ｋ２に先行できないようにスケジュールしなければならず、そうでなければ、ユーザは準備するのに十分な時間を持たない。本開示によれば、ベースステーションがＰＵＣＣＨの第１シンボルが（ｎ＋Ｋ２）番目のシンボルと（ｎ＋Ｋ２＋Ｘ）番目のシンボルとの間にあることをユーザに設定する場合、ＤＭＲＳの多重化モードおよびＰＵＣＣＨのデータは、ＴＤＭのみを含む。このとき、データは第１ＰＵＣＣＨシンボルでは送信されず、ＤＭＲＳのみが送信されるので、データを送信するための準備時間のシンボルをユーザに獲得することができる。しかしながら、ＰＵＣＣＨの最初のシンボルが（ｎ＋Ｋ２＋Ｘ）番目のシンボルの後にあることをベースステーションがユーザに設定する場合、ＤＭＲＳの多重化モードおよびＰＵＣＣＨのデータは、ＴＤＭおよびＦＤＭを含む。この場合、ユーザはデータ伝送の準備に十分な時間を有し、データがＰＵＣＣＨの最初のシンボル（ｎは整数）上で伝送される場合、リソース利用率を効果的に改善することができる。
【０１９０】
Ｘが０に等しいとき、ベースステーションはＰＵＣＣＨの最初のシンボルがシンボルｎ＋Ｋ２上にあることをユーザに構成すると、ＰＵＣＣＨの最初のシンボル上にデータ送信がない、すなわち、ＤＭＲＳおよびデータはＴＤＭである。しかしながら、ベースステーションがＰＵＣＣＨの第１シンボルがシンボルｎ＋Ｋ２の後にあることをユーザに設定する場合、データはＰＵＣＣＨの第１シンボル上で送信されてもよく、すなわち、ＤＭＲＳの多重化モードおよびデータは、ＴＤＭおよびＦＤＭを含む。ＰＵＣＣＨ上のＤＭＲＳが２つの連続するＤＭＲＳシンボルで構成される場合、ＤＭＲＳの多重化モードと２つのシンボル上のデータとは同じである。
【０１９１】
Ｘは０以上の整数である。Ｘは例えば、０であるように事前に定義されてもよく、または上位層シグナリングによってユーザのために構成されてもよい。
【０１９２】
図５に示すように、１つのＤＭＲＳシンボルには合計４つのポートがサポートされ、４つのポートは２つの直交符号分割多重（ＣＤＭ）グループに分割される。ポートｐ０およびｐ１はＣＤＭグループ０に対応し、ポートｐ２およびｐ３はＣＤＭグループ１に対応する。一般に、ベースステーションがユーザにポート０または１を割り当てるとき、ベースステーションは、ＣＤＭグループ１上でＤＭＲＳを送信する他のユーザがいるかどうかをユーザＵＥ０に知らせる必要がある。そうである場合、以下の表２の索引０および２の列５に示されているように、ＣＤＭグループ１上の他のユーザによるＤＭＲＳの送信がある可能性があることを示すため、ＵＥ０はＣＤＭグループ１上のデータを送信できない。このように、ＵＥ０の場合、ＤＭＲＳのシンボル上では、ＤＭＲＳとデータはＴＤＭである。しかしながら、表２のインデックス１及び３に示すように、ＤＭＲＳを送信するＣＤＭグループに他のユーザが存在しない場合、ＵＥ０は、ＣＤＭグループ１上でデータを送信する。
【０１９３】
上記の説明によれば、ベースステーションが、ＰＵＣＣＨの最初のシンボルが（ｎ＋Ｋ２）番目のシンボルと（ｎ＋Ｋ２＋Ｘ）番目のシンボルとの間にあるとユーザに設定する場合、ＤＭＲＳの多重化モードおよびＰＵＣＣＨのデータはＴＤＭのみを含むので、表２のインデックス１および３は禁止されるが、インデックス１および３はＦＤＭモードを含む。言い換えれば、ベースステーションが、ＰＵＣＣＨの最初のシンボルが（ｎ＋Ｋ２）番目のシンボルと（ｎ＋Ｋ２＋Ｘ）番目のシンボルの間にあることをユーザに構成するとき、ユーザは、ＤＭＲＳのシンボル上のデータ伝送を含む何らかのＤＭＲＳポート構成で構成されることを望まない。しかしながら、ベースステーションが、ＰＵＣＣＨの最初のシンボルが（ｎ＋Ｋ２＋Ｘ）番目のシンボルの後であることをユーザに構成する場合、制限はない。
【表２】
2021502765.tif 000004
【０１９４】
言い換えると、ベースステーションが、ＰＵＣＣＨの最初のシンボルが（ｎ＋Ｋ２）番目のシンボルと（ｎ＋Ｋ２＋Ｘ）番目のシンボルの間にあることをユーザに構成する場合、ＰＵＣＣＨの最初のシンボルまたは最初の２つのシンボル上で、ユーザＤＭＲＳポート送信に使用されるリソース以外のすべてのリソースは、ユーザがデータを送信するために使用されない。ベースステーションが、ＰＵＣＣＨの最初のシンボルが（ｎ＋Ｋ２＋Ｘ）番目のシンボルの後であることをユーザに構成する場合、ＰＵＣＣＨの最初のシンボルまたは最初の２つのシンボル上で、ユーザのＤＭＲＳポート送信に使用されるリソース以外の残りのリソースがユーザのデータ送信に使用されるかどうかを、物理層動的シグナリングを備えたベースステーションによって示す必要がある。
【０１９５】
また、Ｘ、Ｋ２、Ｋ２＋Ｘについては、非負の整数であってもよく、シンボルを単位として用いる。また、負でない１０進数でもかまわない。これは、継続時間（ナノ秒など）  にしたがってカウントされる。
【０１９６】
当業者は、前述の方法のステップの全部または一部が対応するハードウェアに命令するプログラムによって実施されてもよく、プログラムはコンピュータ可読記憶媒体、例えば、読み取り専用メモリ、磁気ディスク、光ディスクなどに記憶されてもよいことを理解することができる。光学的には、前記方法のステップの全部または一部を、１つまたは複数の集積回路を用いて実施することができる。したがって、前述の実施形態における各モジュール／ユニットは、ハードウェアまたはソフトウェア機能モジュールの形態で実装されてもよい。本開示は、ハードウェアおよびソフトウェアの任意の特定の形態の組み合わせに限定されない。
【０１９７】
前述の説明は本開示の好ましい実施形態にすぎず、本開示を限定することを意図するものではなく、当業者のために、様々な修正および変更を本開示に行うことができる。本開示の精神および原則の範囲内でなされたいかなる変更、同等の代替、改良または類似のものも、本開示の保護範囲に属するものとする。
【図１】
2021502765.tif 000005
【図２】
2021502765.tif 000006
【図３】
2021502765.tif 000007
【図４】
2021502765.tif 000008
【図５】
2021502765.tif 000009
【国際調査報告】
2021502765.tif 000010
2021502765.tif 000011
2021502765.tif 000012
2021502765.tif 000013